(57)【要約】      （修正有）【課題】適応した時分割デュプレックス（ＴＤＤ）アップリンク−ダウンリンク（ＵＬ−ＤＬ）構成で相互通信する基地局又はユーザ装置（ＵＥ）に対する方法及び装置を提供する。【解決手段】ＵＥは適応した時分割デュプレックス（ＴＤＤ）アップリンク−ダウンリンク（ＵＬ−ＤＬ）構成で動作するように基地局により設定される。ＵＥから基地局へサウンディング参照信号（ＳＲＳ）の送信を可能とするプロセス及び基地局がＵＥへのＤＬ送信のためのパラメータを決定するようにするプロセスを備える。【選択図】図１４
2019176478.tif 000002
【特許請求の範囲】
【請求項１】
ユーザ装置(ＵＥ)がサウンディング参照信号(ＳＲＳ；sounding reference signal)を送信する方法であって、
ダウンリンク制御情報（ＤＣＩ）フォーマットを識別するステップと、
ダウンリンク（ＤＬ）固定方向時間リソース、アップリンク（ＵＬ）固定方向時間リソース及びフレキシブル（flexible）方向時間リソースを含む時間リソースの集合に対する情報を識別するステップと、
前記ＤＣＩフォーマットが検出され、ＵＬ方向を示す場合、前記フレキシブル方向時間リソース内で前記ＳＲＳを送信し、前記ＤＣＩフォーマットが検出されなかった場合、前記フレキシブル方向時間リソース内で前記ＳＲＳを送信することを保留するステップと、を含むことを特徴とする方法。
【請求項２】
ユーザ装置(ＵＥ)がサウンディング参照信号(ＳＲＳ；sounding reference signal)を送信する方法であって、
ダウンリンク制御情報（ＤＣＩ）フォーマットを識別するステップと、
ダウンリンク（ＤＬ）固定方向時間リソース、アップリンク（ＵＬ）固定方向時間リソース及びフレキシブル（flexible）方向時間リソースを含む時間リソースの集合に対する情報を識別するステップと、
前記ＤＣＩフォーマットが検出され、ＵＬ方向を示す場合、前記フレキシブル方向時間リソース内で前記ＳＲＳを送信し、前記ＤＣＩフォーマットがＤＬ方向を示す場合、前記フレキシブル方向時間リソース内で前記ＳＲＳを送信することを保留するステップと、を含むことを特徴とする方法。
【請求項３】
基地局がサウンディング参照信号(ＳＲＳ；sounding reference signal)を受信する方法であって、
ダウンリンク（ＤＬ）固定方向時間リソース、アップリンク（ＵＬ）固定方向時間リソース及びフレキシブル（flexible）方向時間リソースを含む時間リソースの集合を示すダウンリンク制御情報（ＤＣＩ）フォーマットを送信するステップと、
ＵＬ方向またはフレキシブル方向の時間リソース内で前記ＳＲＳをユーザ装置(ＵＥ)から受信するステップと、
ＤＬ方向またはフレキシブル方向の時間リソースで前記ＵＥへのＤＬ送信のためのパラメータを取得するステップと、を含むことを特徴とする方法。
【請求項４】
前記ＤＬ送信のためのパラメータは、ＤＬ送信のためのチャンネル状態情報（ＣＳＩ；channel state information）を含むことを特徴とする請求項３に記載の方法。
【請求項５】
ユーザ装置(ＵＥ)がチャンネル状態情報参照信号（ＣＳＩ−ＲＳ；channel state information reference signal）を受信する方法であって、
ダウンリンク制御情報（ＤＣＩ）フォーマットを識別するステップと、
ダウンリンク（ＤＬ）固定方向時間リソース、アップリンク（ＵＬ）固定方向時間リソース及びフレキシブル（flexible）方向時間リソースを含む時間リソースの集合に対する情報を識別するステップと、
前記ＤＣＩフォーマットが検出され、ＤＬ方向を示す場合、前記フレキシブル方向時間リソース内で前記ＣＳＩ−ＲＳを受信し、前記ＤＣＩフォーマットが検出されなかった場合、前記フレキシブル方向時間リソース内で前記ＣＳＩ−ＲＳを受信することを保留するステップと、を含むことを特徴とする方法。
【請求項６】
前記フレキシブル方向時間リソースで前記ＣＳＩ - ＲＳを受信することに応答して、
ＣＳＩ - ＲＳに基づいてチャンネル状態情報（ＣＳＩ）を取得するステップと、
ＵＬ方向またはフレキシブル方向の時間リソースで前記ＣＳＩを基地局に送信するステップと、を含むことを特徴とする請求項５に記載の方法。
【請求項７】
ユーザ装置(ＵＥ)がチャンネル状態情報参照信号（ＣＳＩ−ＲＳ；channel state information reference signal）を受信する方法であって、
ダウンリンク制御情報（ＤＣＩ）フォーマットを識別するステップと、
ダウンリンク（ＤＬ）固定方向時間リソース、アップリンク（ＵＬ）固定方向時間リソース及びフレキシブル（flexible）方向時間リソースを含む時間リソースの集合に対する情報を識別するステップと、
前記ＤＣＩフォーマットが検出され、ＤＬ方向を示す場合、前記フレキシブル方向時間リソース内で前記ＣＳＩ−ＲＳを受信し、前記ＤＣＩフォーマットがＵＬ方向を示す場合、検出されなかった場合、前記フレキシブル方向時間リソース内で前記ＣＳＩ−ＲＳを受信することを保留するステップと、を含むことを特徴とする方法。
【請求項８】
前記フレキシブル方向時間リソースで前記ＣＳＩ - ＲＳを受信することに応答して、
ＣＳＩ - ＲＳに基づいてチャンネル状態情報（ＣＳＩ）を取得するステップと、
ＵＬ方向またはフレキシブル方向の時間リソースで前記ＣＳＩを基地局に送信するステップと、を含むことを特徴とする請求項７に記載の方法。
【請求項９】
基地局がチャンネル状態情報参照信号（ＣＳＩ−ＲＳ；channel state information reference signal）を送信する方法であって、
ダウンリンク（ＤＬ）固定方向時間リソース、アップリンク（ＵＬ）固定方向時間リソース及びフレキシブル（flexible）方向時間リソースを含む時間リソースの集合を示すダウンリンク制御情報（ＤＣＩ）フォーマットを送信するステップと、
ＤＬ方向またはフレキシブル方向の時間リソースで前記ＣＳＩ−ＲＳをユーザ装置(ＵＥ)に送信するステップと、
ＵＬ方向またはフレキシブル方向の時間リソースでチャンネル状態情報（ＣＳＩ）を前記ＵＥから受信するステップと、を含むことを特徴とする方法。
【請求項１０】
ユーザ装置(ＵＥ)であって、
送受信器と、
前記送受信器を制御するプロセッサと、を含み、
前記プロセッサは、
ダウンリンク制御情報（ＤＣＩ）フォーマットを識別し、
ダウンリンク（ＤＬ）固定方向時間リソース、アップリンク（ＵＬ）固定方向時間リソース及びフレキシブル（flexible）方向時間リソースを含む時間リソースの集合に対する情報を識別し、
前記ＤＣＩフォーマットが検出され、ＵＬ方向を示す場合、前記フレキシブル方向時間リソース内でサウンディング参照信号(ＳＲＳ；sounding reference signal)を送信し、前記ＤＣＩフォーマットが検出されなかった場合、前記フレキシブル方向時間リソース内で前記ＳＲＳを送信することを保留することを特徴とするＵＥ。
【請求項１１】
ユーザ装置(ＵＥ)であって、
送受信器と、
前記送受信器を制御するプロセッサと、を含み、
前記プロセッサは、
ダウンリンク制御情報（ＤＣＩ）フォーマットを識別し、
ダウンリンク（ＤＬ）固定方向時間リソース、アップリンク（ＵＬ）固定方向時間リソース及びフレキシブル（flexible）方向時間リソースを含む時間リソースの集合に対する情報を識別し、
前記ＤＣＩフォーマットが検出され、ＵＬ方向を示す場合、前記フレキシブル方向時間リソース内でサウンディング参照信号(ＳＲＳ；sounding reference signal)を送信し、前記ＤＣＩフォーマットがＤＬ方向を示す場合、前記フレキシブル方向時間リソース内で前記ＳＲＳを送信することを保留することを特徴とするＵＥ。
【請求項１２】
基地局であって、
送受信器と、
前記送受信器を制御するプロセッサと、を含み、
前記プロセッサは、
ダウンリンク（ＤＬ）固定方向時間リソース、アップリンク（ＵＬ）固定方向時間リソース及びフレキシブル（flexible）方向時間リソースを含む時間リソースの集合を示すダウンリンク制御情報（ＤＣＩ）フォーマットを送信し、
ＵＬ方向またはフレキシブル方向の時間リソース内でサウンディング参照信号(ＳＲＳ；sounding reference signal)をユーザ装置(ＵＥ)から受信し、
ＤＬ方向またはフレキシブル方向の時間リソースで前記ＵＥへのＤＬ送信のためのパラメータを取得することを特徴とする基地局。
【請求項１３】
前記ＤＬ送信のためのパラメータは、ＤＬ送信のためのチャンネル状態情報（ＣＳＩ；channel state information）を含むことを特徴とする請求項１２に記載の基地局。
【請求項１４】
ユーザ装置(ＵＥ)であって、
送受信器と、
前記送受信器を制御するプロセッサと、を含み、
前記プロセッサは、
ダウンリンク制御情報（ＤＣＩ）フォーマットを識別し、
ダウンリンク（ＤＬ）固定方向時間リソース、アップリンク（ＵＬ）固定方向時間リソース及びフレキシブル（flexible）方向時間リソースを含む時間リソースの集合に対する情報を識別し、
前記ＤＣＩフォーマットが検出され、ＤＬ方向を示す場合、前記フレキシブル方向時間リソース内でチャンネル状態情報参照信号（ＣＳＩ−ＲＳ；channel state information reference signal）を受信し、前記ＤＣＩフォーマットが検出されなかった場合、前記フレキシブル方向時間リソース内で前記ＣＳＩ−ＲＳを受信することを特徴とするＵＥ。
【請求項１５】
前記フレキシブル方向時間リソースで前記ＣＳＩ - ＲＳを受信することに応答してさらに、
ＣＳＩ - ＲＳに基づいてチャンネル状態情報（ＣＳＩ）を取得し、ＵＬ方向またはフレキシブル方向の時間リソースで前記ＣＳＩを基地局に送信することを特徴とする請求項１４に記載のＵＥ。
【請求項１６】
ユーザ装置(ＵＥ)であって、
送受信器と、
前記送受信器を制御するプロセッサと、を含み、
前記プロセッサは、
ダウンリンク制御情報（ＤＣＩ）フォーマットを識別するステップと、
ダウンリンク（ＤＬ）固定方向時間リソース、アップリンク（ＵＬ）固定方向時間リソース及びフレキシブル（flexible）方向時間リソースを含む時間リソースの集合に対する情報を識別するステップと、
前記ＤＣＩフォーマットが検出され、ＤＬ方向を示す場合、前記フレキシブル方向時間リソース内でチャンネル状態情報参照信号（ＣＳＩ−ＲＳ；channel state information reference signal）を受信し、前記ＤＣＩフォーマットがＵＬ方向を示す場合、検出されなかった場合、前記フレキシブル方向時間リソース内で前記ＣＳＩ−ＲＳを受信することを保留することを特徴とするＵＥ。
【請求項１７】
前記フレキシブル方向時間リソースで前記ＣＳＩ - ＲＳを受信することに応答してさらに、
ＣＳＩ - ＲＳに基づいてチャンネル状態情報（ＣＳＩ）を取得し、ＵＬ方向またはフレキシブル方向の時間リソースで前記ＣＳＩを基地局に送信することを特徴とする請求項１６に記載のＵＥ。
【請求項１８】
基地局であって、
送受信器と、
前記送受信器を制御するプロセッサと、を含み、
前記プロセッサは、
ダウンリンク（ＤＬ）固定方向時間リソース、アップリンク（ＵＬ）固定方向時間リソース及びフレキシブル（flexible）方向時間リソースを含む時間リソースの集合を示すダウンリンク制御情報（ＤＣＩ）フォーマットを送信し、
ＤＬ方向またはフレキシブル方向の時間リソースでチャンネル状態情報参照信号（ＣＳＩ−ＲＳ；channel state information reference signal）をユーザ装置(ＵＥ)に送信し、
ＵＬ方向またはフレキシブル方向の時間リソースでチャンネル状態情報（ＣＳＩ）をユーザ装置(ＵＥ)から受信することを特徴とする基地局。
【発明の詳細な説明】
【技術分野】
【０００１】
本出願は、一般的に無線通信に関し、より詳細には、適応的に構成された時分割デュプレックス（ＴＤＤ）通信システムのダウンリンク及びアップリンク送信をスケジューリングするためにチャンネル状態情報を提供することに関する。
【背景技術】
【０００２】
無線通信は、近代史の最も成功的な革新のうちの一つであった。最近、無線通信サービス加入者数は五十億を超え、速く増加し続けている。スマートフォン、及びタブレット、“ノートパッド”コンピュータ、ネットブック、及び電子本リーダなどのような他のモバイルデータ装置の消費者と事業者との間での増加する人気によって、無線データトラフィックに対する需要が急速に増加している。モバイルデータトラフィックの高い増加に答えるために、無線インターフェース効率性と新たなスペクトルの割り当てにおける改善が最優先的な重要性を有する。
【発明の概要】
【発明が解決しようとする課題】
【０００３】
本開示は、適応的に構成された時分割デュプレックス（ＴＤＤ）通信システムにおけるアップリンク及びダウンリンク適応を実行するためのシステム及び方法を提供する。
【０００４】
上記のような目的を達成するために、第１の実施形態において、方法が提供される。上記方法は、基地局がユーザ装置（ＵＥ）に、第１の時分割デュプレクス（Time Division Duplex：ＴＤＤ）アップリンク−ダウンリンク（ＵＬ−ＤＬ）構成を示すシグナリングを送信するステップを含む。ＴＤＤ ＵＬ−ＤＬ構成は、通信方向が基地局からＵＥに向かうＤＬ  ＳＦ、通信方向がＵＥから基地局に向かうＵＬ  ＳＦ、及び通信方向が基地局からＵＥに向かうものと、ＵＥから基地局に向かうもののすべてであり得る特別のＳＦを含む１０個のサブフレームの時間にわたって定義される。１０個のＳＦのそれぞれのＳＦは、固有の時間ドメインインデックスを有する。
【０００５】
上記方法は、基地局がＵＥに、第２のＴＤＤ ＵＬ−ＤＬ構成を示すＤＬ制御情報（ＤＣＩ）フォーマットを伝達する制御チャンネルと、ＵＥが第１の集合のＳＲＳ送信パラメータを用いて第１のＴＤＤ ＵＬ−ＤＬ構成の第１のＵＬ ＳＦで第１のサウンディング参照信号（ＳＲＳ）を周期的に送信するようにする構成情報を送信するステップをさらに含む。ＵＥが第１のＴＤＤ ＵＬ−ＤＬ構成を示すシグナリング、第２のＴＤＤ ＵＬ−ＤＬ構成を示すＤＣＩフォーマット、及び構成情報を受信することによって、ＵＥは、第１のＵＬ ＳＦが第２のＴＤＤ ＵＬ−ＤＬ構成のＵＬ ＳＦである場合に第１のＳＲＳを送信し、第１のＵＬ ＳＦが第２のＴＤＤ ＵＬ−ＤＬ構成のＤＬ ＳＦである場合に第１のＳＲＳの送信を保留する。
【０００６】
第２の実施形態において、方法が提供される。上記方法は、基地局がユーザ装置（ＵＥ）に、第１のＴＤＤ（Time Division Duplexing）アップリンク−ダウンリンク（ＵＬ−ＤＬ）構成を示すシグナリングを送信するステップを含む。ＴＤＤ ＵＬ−ＤＬ構成は、通信方向が基地局からＵＥへのＤＬ ＳＦ、通信方向がＵＥから基地局へのＵＬ ＳＦ、及び通信方向が基地局からＵＥ及びＵＥから基地局の両方であり得る特別ＳＦを含む１０個のサブフレームの時間にわたって定義される。１０個のＳＦそれぞれのＳＦは、固有な時間ドメインインデックスを有する。上記方法は、基地局がユーザ装置（ＵＥ）に、第２のＴＤＤ ＵＬ−ＤＬ構成を示すＤＬ制御情報（ＤＣＩ）フォーマットを伝達する制御チャンネルと、ＵＥが第１の集合のＳＲＳ送信パラメータを用いて第１のＴＤＤ ＵＬ−ＤＬ構成の第１のＵＬ ＳＦで第１のサウンディング参照信号（ＳＲＳ）を周期的に送信するようにする構成情報を送信するステップをさらに含む。ＵＥが第１のＴＤＤ ＵＬ−ＤＬ構成を示すシグナリング、第２のＴＤＤ ＵＬ−ＤＬ構成を示すＤＣＩフォーマット、及び構成情報を受信することによって、ＵＥは、第１のＵＬ ＳＦが第２のＴＤＤ ＵＬ−ＤＬ構成のＵＬ ＳＦと判定できる場合、第１のＳＲＳを送信し、第１のＵＬ ＳＦが第２のＴＤＤ ＵＬ−ＤＬ構成のＵＬ ＳＦと判定できない場合、第１のＳＲＳの送信を保留する。ＵＥは、ＤＣＩフォーマットを検出することによって、第１のＳＦが第２のＴＤＤ ＵＬ−ＤＬ構成のＵＬサブフレームと判定する。
【０００７】
第３の実施形態において、方法が提供される。上記方法は、基地局がユーザ装置（ＵＥ）に、第１のＴＤＤ（Time Division Duplexing）アップリンク−ダウンリンク（ＵＬ−ＤＬ）構成を示すシグナリングを送信するステップを含む。ＴＤＤ ＵＬ−ＤＬ構成は、通信方向が基地局からＵＥへのＤＬ ＳＦ、通信方向がＵＥから基地局へのＵＬ ＳＦ、及び通信方向が基地局からＵＥ及びＵＥから基地局の両方であり得る特別ＳＦを含む１０個のサブフレームの時間にわたって定義される。１０個のＳＦそれぞれのＳＦは、固有な時間ドメインインデックスを有する。上記方法は、また基地局がＵＥに、ＵＥが第１のＴＤＤ ＵＬ−ＤＬ構成の特別ＳＦ又はＵＬ ＳＦでサウンディング参照信号（ＳＲＳ）を送信するようにする構成情報を送信するステップをさらに含む。ＵＥが第１のＴＤＤ ＵＬ−ＤＬ構成を示すシグナリング及び構成情報を受信することによって、ＵＥは、ＵＬ ＳＦ又は特別ＳＦでＳＲＳを送信する。上記方法は、基地局によりＵＬ ＳＦ又は特別ＳＦでＳＲＳを受信するステップをさらに含む。また、上記方法は、基地局が受信されたＳＲＳに基づいて、第１の集合のＤＬ ＳＦでＵＥにＤＬ送信のためのパラメータを決定するステップを含み、上記第１の集合のＤＬ ＳＦ内の少なくとも一つのＤＬ ＳＦは、第２のＴＤＤ ＵＬ−ＤＬ構成のＵＬ ＳＦであり、上記ＵＬ ＳＦ又は特別ＳＦは、第２のＴＤＤ ＵＬ−ＤＬ構成のＵＬ ＳＦである。
【０００８】
第４の実施形態において、方法が提供される。上記方法は、基地局がユーザ装置（ＵＥ）に、第１のＴＤＤ（Time Division Duplexing）アップリンク−ダウンリンク（ＵＬ−ＤＬ）構成を示すシグナリングを送信するステップを含む。ＴＤＤ ＵＬ−ＤＬ構成は、通信方向が基地局からＵＥへのＤＬ ＳＦ、通信方向がＵＥから基地局へのＵＬ ＳＦ、及び通信方向が基地局からＵＥ及びＵＥから基地局の両方であり得る特別ＳＦを含む１０個のサブフレームの時間にわたって定義される。１０個のＳＦそれぞれのＳＦは、固有な時間ドメインインデックスを有する。上記方法は、また基地局がＵＥに、ＵＥが第１のＴＤＤ ＵＬ−ＤＬ構成の特別ＳＦ又はＵＬ ＳＦでサウンディング参照信号（ＳＲＳ）を送信するようにする構成情報を送信するステップをさらに含む。ＵＥが第１のＴＤＤ ＵＬ−ＤＬ構成を示すシグナリング及び構成情報を受信することによって、ＵＥは、ＵＬ ＳＦ又は特別ＳＦで上記ＳＲＳを送信する。また、上記方法は、基地局によりＵＬ ＳＦ又は特別ＳＦでＳＲＳを受信するステップを含む。上記方法は、基地局が受信されたＳＲＳに基づいて第１の集合のＤＬ ＳＦでＵＥにＤＬ送信パラメータを決定するステップをさらに含み、上記第１の集合のＤＬ ＳＦ内の少なくとも一つのＤＬ ＳＦは、第２のＴＤＤ ＵＬ−ＤＬ構成のＤＬ ＳＦであり、上記ＵＬ ＳＦ又は特別ＳＦは、第２のＴＤＤ ＵＬ−ＤＬ構成のＤＬ ＳＦである。
【０００９】
第５の実施形態において、ユーザ装置（ＵＥ）が提供される。ＵＥは基地局から第１のＴＤＤ（Time Division Duplexing）アップリンク−ダウンリンク（ＵＬ−ＤＬ）構成を示すシグナリングを受信するように構成された受信器を含む。ＴＤＤ ＵＬ−ＤＬ構成は、通信方向が基地局からＵＥへのＤＬ ＳＦ、通信方向がＵＥから基地局へのＵＬ ＳＦ、及び通信方向が基地局からＵＥ及びＵＥから基地局の両方であり得る特別ＳＦを含む１０個のサブフレームの時間にわたって定義される。１０個のＳＦそれぞれのＳＦは、固有な時間ドメインインデックスを有する。上記ＵＥは基地局で送信され、第１のＴＤＤ ＵＬ−ＤＬ構成の第２のＴＤＤ ＵＬ−ＤＬ構成への適応を示すＤＬ制御情報（ＤＣＩ）フォーマットを伝達する制御チャンネルと、第１の集合のＳＲＳ送信パラメータを用いて第１のＴＤＤ ＵＬ−ＤＬ構成の第１のＵＬ ＳＦで第１のサウンディング参照信号（ＳＲＳ）を周期的に送信するための構成情報を基地局から受信するように構成された受信器をさらに含む。上記ＵＥは、上記第１のＵＬ ＳＦが第２のＴＤＤ ＵＬ−ＤＬ構成のＵＬ ＳＦである場合に第１のＳＲＳを送信し、上記第１のＵＬ ＳＦが第２のＴＤＤ ＵＬ−ＤＬのＤＬ ＳＦである場合に第１のＳＲＳの送信を保留するように構成された送信器をさらに含む。
【００１０】
第６の実施形態において、ユーザ装置（ＵＥ）が提供される。ＵＥは基地局から第１のＴＤＤ（Time Division Duplexing）アップリンク−ダウンリンク（ＵＬ−ＤＬ）構成を示すシグナリングを受信するように構成された受信器を含む。ＴＤＤ ＵＬ−ＤＬ構成は、通信方向が基地局からＵＥへのＤＬ ＳＦ、通信方向がＵＥから基地局へのＵＬ ＳＦ、及び通信方向が基地局からＵＥ及びＵＥから基地局の両方であり得る特別ＳＦを含む１０個のサブフレームの時間にわたって定義される。１０個のＳＦそれぞれのＳＦは、固有な時間ドメインインデックスを有する。上記ＵＥは基地局で送信され、第１のＴＤＤ ＵＬ−ＤＬ構成の第２のＴＤＤ ＵＬ−ＤＬ構成への適応を示すＤＬ制御情報（ＤＣＩ）フォーマットを伝達する制御チャンネルと、第１の集合のＳＲＳ送信パラメータを用いて第１のＴＤＤ ＵＬ−ＤＬ構成の第１のＵＬ ＳＦで第１のサウンディング参照信号（ＳＲＳ）を周期的に送信するための構成情報を基地局から受信するように構成された受信器をさらに含む。上記ＵＥは、上記ＵＥが第１のＵＬ ＳＦが第２のＴＤＤ ＵＬ−ＤＬ構成のＵＬ ＳＦと判定できる場合、第１のＳＲＳを送信し、上記ＵＥが第１のＵＬ ＳＦが第２のＴＤＤ ＵＬ−ＤＬ構成のＵＬ ＳＦと判定できない場合、第１のＳＲＳの送信を保留するように構成された送信器をさらに含み、上記ＵＥは、ＤＣＩフォーマットを成功的に受信する時、第１のＳＦが第２のＴＤＤ ＵＬ−ＤＬ構成のＵＬサブフレームと判定できる。
【００１１】
第７の実施形態において、基地局が提供される。基地局は、ユーザ装置（ＵＥ）に第１のＴＤＤ（Time Division Duplexing）アップリンク−ダウンリンク（ＵＬ−ＤＬ）構成を示すシグナリングを送信するように構成された送信器を含む。ＴＤＤ ＵＬ−ＤＬ構成は、通信方向が基地局からＵＥへのＤＬ ＳＦ、通信方向がＵＥから基地局へのＵＬ ＳＦ、及び通信方向が基地局からＵＥ及びＵＥから基地局の両方であり得る特別ＳＦを含む１０個のサブフレームの時間にわたって定義され、１０個のＳＦそれぞれのＳＦは、固有な時間ドメインインデックスを有する。上記基地局は、第１のＴＤＤ ＵＬ−ＤＬ構成の特別ＳＦ又はＵＬ ＳＦでＵＥからのサウンディング参照信号（ＳＲＳ）に対する構成情報をＵＥに送信するように構成された送信器をさらに含む。上記基地局は、ＵＬ ＳＦ又は特別ＳＦで上記ＳＲＳ送信をＵＥから受信するように構成された受信器をさらに含む。また、上記基地局は、受信されたＳＲＳに基づいて、第１の集合のＤＬ ＳＦでＵＥにＤＬ送信のためのパラメータを決定するように構成されたプロセッサをさらに含み、上記第１の集合のＤＬ ＳＦ内の少なくとも一つのＤＬ ＳＦは、第２のＴＤＤ ＵＬ−ＤＬ構成のＵＬ ＳＦであり、上記ＵＬ ＳＦ又は特別ＳＦは、第２のＴＤＤ ＵＬ−ＤＬ構成のＵＬ ＳＦである。
【００１２】
第８の実施形態において、基地局が提供される。基地局は、ユーザ装置（ＵＥ）に、第１のＴＤＤ（Time Division Duplexing）アップリンク−ダウンリンク（ＵＬ−ＤＬ）構成を示すシグナリングを送信するように構成された送信器を含む。ＴＤＤ ＵＬ−ＤＬ構成は、通信方向が基地局からＵＥへのＤＬ ＳＦ、通信方向がＵＥから基地局へのＵＬ ＳＦ、及び通信方向が基地局からＵＥ及びＵＥから基地局の両方であり得る特別ＳＦを含む１０個のサブフレームの時間にわたって定義され、１０個のＳＦそれぞれのＳＦは、固有な時間ドメインインデックスを有する。上記基地局は、第１のＴＤＤ ＵＬ−ＤＬ構成の特別ＳＦ又はＵＬ ＳＦでＵＥからのサウンディング参照信号（ＳＲＳ）に対する構成情報をＵＥに送信するように構成された送信器をさらに含む。上記基地局は、ＵＬ ＳＦ又は特別ＳＦで上記ＳＲＳ送信をＵＥから受信するように構成された受信器をさらに含む。また、上記基地局は、受信されたＳＲＳに基づいて、第１の集合のＤＬ ＳＦでＵＥにＤＬ送信のためのパラメータを決定するように構成されたプロセッサをさらに含み、上記第１の集合のＤＬ ＳＦ内の少なくとも一つのＤＬ ＳＦは、第２のＴＤＤ ＵＬ−ＤＬ構成のＤＬ ＳＦであり、上記ＵＬ ＳＦ又は特別ＳＦは、第２のＴＤＤ ＵＬ−ＤＬ構成のＤＬ ＳＦである。
【００１３】
本発明を詳細に説明するのに先立って、本明細書の全般にわたって使用される特定の単語及び語句の定義を説明することが好ましい。“接続（結合）する”という語句だけではなく、その派生語は、２以上の構成要素が相互に物理的な接触状態にあるか否か、それら間の任意の直接的であるか又は間接的な通信を称する。“送信する”、“受信する”、及び“通信する”という用語だけでなく、その派生語は、直間接的な通信のすべてを含む 。“含む”及び “備える”という語句だけではなく、その派生語は、限定ではなく、包含を意味する。“又は”という用語は、“及び／又は”の意味を包含する。“関連した”及び“それと関連した”という語句だけではなく、その派生語句は、“含む”、“含まれる”、“相互に連結する”、“包含する”、“包含される”、“連結する”、“結合する”、“疎通する”、“協力する”、“挿入する”、“並置する”、“近接する”、“属する”、“有する”、及び“特性を有する”、“関係を有する”などを意味する。“制御器”という用語は、少なくとも１つの動作を制御する任意の装置、システム又はその一部を意味する。そのような制御器は、ハードウェア又はハードウェアとソフトウェア、及び／又はファームウェアの組み合せで実現することができる。ある特定の制御器に関連した機能性は、ローカルでも遠隔でも、集中するか又は分散することができることに留意しなければならない。“少なくとも１つの”という語句は、項目のリストとともに使用される時に、リストされた項目の中の１つ以上の相互に異なる組み合せが使用されることができ、そのリスト内の１つの項目だけが必要とされることができることを意味する。例えば、“Ａ、Ｂ、及びＣの中の少なくとも１つ”は、次のような組み合せの中のいずれか１つを含む：Ａ、Ｂ、Ｃ、Ａ及びＢ、Ａ及びＣ、Ｂ及びＣ、及びＡとＢとＣ。
【００１４】
さらに、以下に記述される様々な機能は、１つ以上のコンピュータプログラムにより具現されるか又はサポートでき、そのプログラムの各々は、コンピュータ読み取り可能なプログラムコードで構成され、コンピュータ読み取り可能な媒体で実施される。“アプリケーション”及び“プログラム”という用語は、１つ以上のコンピュータプログラム、ソフトウェアコンポーネット、命令語セット、手順、関数、オブジェクト、クラス、インスタンス、関連データ、又は適合したコンピュータ読み取り可能なプログラムコードの実現に適合したそれらの一部を称する。“コンピュータ読み取り可能なプログラムコード”という語句は、ソースコード、オブジェクトコード、及び実行コードを含むすべてのタイプのコンピュータコードを含む。“コンピュータ読み取り可能な媒体”という語句は、読出し専用メモリ（read only memory：ＲＯＭ）、ランダムアクセスメモリ（random access memory：ＲＡＭ）、ハードディスクドライブ、コンパクト・ディスク（ＣＤ）、ディジタルビデオディスク（ＤＶＤ）、又は任意の他のタイプのメモリのように、コンピュータによりアクセスできるすべてのタイプの媒体を含む。“非一時的”なコンピュータ読み取り可能な媒体は、一時的な電気又は他の信号を転送する有線、無線、光学、又は他の通信リンクを除外する。非一時的なコンピュータ読み取り可能な媒体は、データが永久的に記憶されることができる媒体、及び再記録可能な光学ディスクや削除可能なメモリ装置のようにデータが記憶され、後でオーバーライティングされ得る媒体を含む。
【００１５】
他の所定の単語及び語句に対する定義がこの特許文書の全体にわたって提供される。当業者は、大部分の場合ではなくても多い場合に、そのような定義がそのように定義された単語及び語句の前だけでなく後の使用にも適用されることを分かる。
【図面の簡単な説明】
【００１６】
【図１】本開示による無線通信ネットワークの例を示す図である。
【図２】本開示によるユーザ装置（ＵＥ）の例を示す図である。
【図３】本開示によるノードＢ（ｅＮＢ）の例を示す図である。
【図４】本開示による送信時間間隔（ＴＴＩ）での一般ＰＵＳＣＨ送信構造の例を示す図である。
【図５】本開示によるＰＵＳＣＨ内のデータ情報及びＵＣＩのための送信器ブロック図の例を示す図である。
【図６】本開示によるＰＵＳＣＨ内のデータ情報及びＵＣＩのための受信器ブロック図の例を示す図である。
【図７】本開示によるＤＭＲＳ又はＳＲＳとして使用されることができるＺＣシーケンスのための送信器構造の例を示す図である。
【図８】本開示によるＵＬ ＴＴＩでのＵＬ制御シグナリング又はＵＬ周期的シグナリングの存在又は不在の例を示す図である。
【図９】本開示によって、ＵＬ固定ＴＴＩに対するＵＬフレキシブルＴＴＩでのＳＲＳ ＢＷ構成の適応例を示す図である。
【図１０】本開示によって、ＵＬ ＢＷがＵＬ固定ＴＴＩのＵＬ ＢＷの一部である場合、ＵＬフレキシブルＴＴＩでのＳＲＳ ＢＷ構成の適応例を示す図である。
【図１１】本開示によって、ＵＬ固定ＴＴＩでのＰ−ＳＲＳ又はＡ−ＳＲＳ送信パラメータに対する第１のＵＥ固有上位階層シグナリング及びＵＬフレキシブルＴＴＩでのＰ−ＳＲＳ又はＡ−ＳＲＳ送信のための第２のＵＥ固有上位階層シグナリングの使用例を示す図である。
【図１２】本開示によるＵＬ ＴＴＩタイプＡ−ＳＲＳ指示子フィールドの使用例を示す図である。
【図１３】本開示による相異なるフレキシブルＴＴＩでの相異なる干渉特性の存在の例を示す図である。
【図１４】本開示によって、ＵＬ ＴＴＩの第２の集合内のＵＥからのＳＲＳ送信を使用したＤＬ ＴＴＩの第１の集合内のＤＬ ＣＳＩのｅＮＢによる判定例を示す図である。
【図１５】本開示によって、ＵＥからのＳＲＳ送信に基づいてＴＴＩ集合内のＤＬ ＣＳＩを推定するためのｅＮＢ受信器の例を示す図である。
【図１６】本開示によって、ＵＥがＤＬ ＴＴＩの第１の集合から第１のＣＳＩを決定するか、ＤＬ ＴＴＩの第２の集合から第２のＣＳＩを決定する例を示す図である。
【発明を実施するための形態】
【００１７】
以下に論議される図１乃至図１６、及び本特許文献において本発明の開示原則を説明するために使用される様々な実施形態は、例示としてのみ提供され、開示の範囲を限定するいかなる方法としても理解されてはならない。当業者であれば、本発明の開示原則が任意の適切に配置された無線通信システムで実現することができるものであることは自明である。
【００１８】
以下の文書及び標準説明が本明細書に全体的に記述されたもののように本開示に含まれる：３ＧＰＰ ＴＳ３６.２１１ ｖ１１.１.０，“E-UTRA, Physical channels and modulation”（参照１）、３ＧＰＰ ＴＳ３６.２１２ ｖ１１.１.０，“E-UTRA, Multiplexing and Channel coding”（参照２）、３ＧＰＰ ＴＳ３６.２１３ ｖ１１.１.０，“E-UTRA, Physical Layer Procedures”（参照３）、“３ＧＰＰ ＴＳ３６.３３１ ｖ１１.１.０，“E-UTRA, Radio Resource Control（RR）Protocol Specification．”（参照４）。
【００１９】
本開示は、時分割デュプレクス（ＴＤＤ）を活用する無線通信ネットワークにおける通信方向の適応に関する。無線通信ネットワークは、送信地点（基地局又はｅＮｏｄｅＢ）でユーザ装置（ＵＥｓ）に信号を運搬するダウンリンク（ＤＬ）を含む。また、無線通信ネットワークは、ＵＥからｅＮｏｄｅＢのような受信地点に信号を運搬するアップリンク（ＵＬ）を含む。
【００２０】
図１は、本開示による無線通信ネットワークの例を示す図である。図１に示す無線ネットワーク１００の実施形態は、ただ例示のためのものである。本開示の範囲から逸脱しない無線ネットワーク１００の他の実施形態が使用されることもできる。
【００２１】
図１に示すように、無線ネットワーク１００は、ｅＮｏｄｅＢ（ｅＮＢ）１０１、ｅＮＢ１０２、及びｅＮＢ１０３を含む。ｅＮＢ１０１は、ｅＮＢ１０２及びｅＮＢ１０３と通信する。また、ｅＮＢ１０１は、インターネット、独自のＩＰネットワーク、又は他のデータネットワークのような少なくとも１つのインターネットプロトコル（ＩＰ）ネットワーク１３０と通信する。
【００２２】
ネットワークタイプにより、“ｅＮｏｄｅＢ”又は“ｅＮＢ”の代わりに、“基地局”又は“アクセスポイント”のように他のよく知られている用語が使用されることができる。説明の便宜を図るために、遠隔端末に対する無線アクセスを提供するネットワークインフラ構成要素を称し、“ｅＮｏｄｅＢ”及び“ｅＮＢ”という用語がこの特許文書内で使用される。
【００２３】
また、他のネットワークタイプにより、“ユーザ装置”又は“ＵＥ”、 “移動局”、“加入者局”、“遠隔端末”、“無線端末”、又は“ユーザ装置”のような他のよく知られている用語が使用されることができる。説明の便宜のために、“ユーザ装置”及び“ＵＥ”という用語は、本特許文書において、ＵＥが（移動電話又はスマートフォンのような）移動装置として見なされるか又は（デスクトップコンピュータ又はベンディングマシンのような）一般的に固定装置として見なされるかにかかわらず、無線でｅＮＢをアクセスする遠隔無線装置を称するために使用される。
【００２４】
ｅＮＢ１０２は、ｅＮＢ１０２の適用領域１２０内にある第１の複数のユーザ装置（ＵＥｓ）にネットワーク１３０に対する無線広帯域アクセスを提供する。第１の複数のＵＥは、スモールビジネス（ＳＢ）内に位置できるＵＥ１１１、企業体（Ｅ）内に位置できるＵＥ１１２、ＷｉＦｉホットスポット（ＨＳ）内に位置できるＵＥ１１３、第１のレジダンス（Ｒ）内に位置できるＵＥ１１４、第２のレジダンス（Ｒ）内に位置できるＵＥ１１５、及びセルフォン、無線ラップトップ、無線ＰＤＡなどのようなモバイル装置（Ｍ）であるＵＥ１１６を含む。ｅＮＢ１０３は、ｅＮＢ１０３の適用領域１２５内にある第２の複数のＵＥにネットワーク１３０に対する無線広帯域アクセスを提供する。第２の複数のＵＥは、ＵＥ１１５及びＵＥ１１６を含む。一部の実施形態において、ｅＮＢ１０１乃至１０３の中の１つ以上は、５Ｇ、ＬＴＥ、ＬＴＥ−Ａ、ＷｉＭＡＸ、又は他の進歩した無線通信技術を用いて、相互に及びＵＥ１１１乃至１１６と通信できる。
【００２５】
点線は、ただ例示及び説明のために、ほぼ円形態で見られた適用領域１２０及び１２５の概略的な程度を示す。適用領域１２０及び１２５のように、ｅＮＢと関連した適用領域は、自然的であり人為的な障害物と関連した無線環境内の変動及びｅＮＢの構成により、不規則的な形態を含む他の形態を有することができることを明確に理解することができる。
【００２６】
以下では、より詳細に説明するように、ネットワーク１００の様々な構成要素（ｅＮＢ１０１乃至１０３及び／又はＵＥ１１１乃至１１６は、ＴＤＤを使用できるネットワーク１００の通信方向の適応をサポートする。
【００２７】
図１は、無線ネットワーク１００の一例を示しているが、図１に対して様々な変形がなされる。例えば、無線ネットワーク１００は、任意の数のｅＮＢ及び任意の数のＵＥを任意の適切な配置を通して含む。また、ｅＮＢ１０１は、任意の数のＵＥと直接に通信することによりそのＵＥにネットワーク１３０に対する無線広帯域アクセスを提供できる。同様に、それぞれのｅＮＢ１０２及び１０３は、ネットワーク１３０と直接に通信することによりネットワーク１３０に対する直接無線広帯域アクセスをＵＥに提供できる。さらに、ｅＮＢ１０１、１０２、及び／又は１０３は、外部電話網又は他のタイプのデータネットワークのような他の、又は、付加の外部ネットワークへのアクセスを提供できる。
【００２８】
図２は、本開示によるＵＥ１１４の例を示す図である。図２に示すＵＥ１１４の実施形態は、例示のためのものであるだけで、図１の他のＵＥと同一であるか又は類似の構成を有する。しかしながら、ＵＥは、広範囲な構成で現れ、図２は、本開示の範囲をＵＥの任意の特定の具現例に限定しない。
【００２９】
図２に示すように、ＵＥ１１４は、アンテナ２０５、無線周波数（ＲＦ）送受信器２１０、送信（ＴＸ）処理回路２１５、マイクロフォン２２０、及び受信（ＲＸ）処理回路２２５を含む。また、ＵＥ１１４は、スピーカ２３０、メインプロセッサ２４０、入力／出力（Ｉ／Ｏ）インターフェース（ＩＦ）２４５、キーパッド２５０、ディスプレイ２５５、及びメモリ２６０を含む。メモリ２６０は、基本オペレーティングシステム（ＯＳ）プログラム２６１及び１つ以上のアプリケーション２６２を含む。
【００３０】
ＲＦ送受信器２１０は、アンテナ２０５から、ｅＮＢ又は他のＵＥにより送信された入力ＲＦ信号を受信する。ＲＦ送受信器２１０は、入力ＲＦ信号をダウンコンバートして中間周波数（ＩＦ）又は基底帯域信号を生成する。ＩＦ又は基底帯域信号は、ＲＸ処理回路２２５に送信され、ＲＸ処理回路２２５は、基底帯域又はＩＦ信号のフィルタリング、デコーディング、及び／又はディジタル化を行うことにより処理された基底帯域信号を生成する。ＲＸ処理回路２２５は、処理された基底帯域信号をスピーカ２３０（音声データの場合）又はメインプロセッサ２４０（例えば、ウェブブラウジングデータの場合）に送信する。
【００３１】
ＴＸ処理回路２１５は、マイクロフォン２２０からアナログ又はディジタル音声データを、あるいはメインプロセッサ２４０から他の送信基底帯域データ（例えば、ウェブデータ、電子メール、双方向ビデオゲームデータ）を受信する。ＴＸ処理回路２１５は、送信基底帯域データの符号化、多重化、及び／又はディジタル化を行うことにより処理された基底帯域又はＩＦ信号を生成する。ＲＦ送受信器２１０は、処理された送信基底帯域又はＩＦ信号をＴＸ処理回路２１５から受信し、アンテナ２０５を通して送信される基底帯域又はＩＦ信号をＲＦ信号にアップコンバートする。
【００３２】
メインプロセッサ２４０は、１つ以上のプロセッサ又は他の処理装置を含むことができ、ＵＥ１１４の全般的な動作を制御するためにメモリに記憶される基本ＯＳプログラム２６１を実行できる。例えば、メインプロセッサ２４０は、公知の原理に従って、ＲＦ送受信器２１０、ＲＸ処理回路２２５、及びＴＸ処理回路２１５により順方向チャネル信号の受信及び逆方向チャネル信号の送信を制御できる。一部の実施形態において、メインプロセッサ２４０は、少なくとも１つのマイクロプロセッサ又はマイクロコントローラを含む。
【００３３】
また、メインプロセッサ２４０は、適応的に構成された時分割デュプレクス（ＴＤＤ）通信システムのダウンリンク及びアップリンク送信をスケジューリングするためにチャネル状態情報をサポートする動作のように、メモリ２６０に滞在している他のプロセス及びプログラムを実行することができる。メインプロセッサ２４０は、実行プロセスにより要請される時に、メモリにデータを移動させるか又はメモリからデータを移動させることができる。一部の実施形態において、メインプロセッサ２４０は、ＯＳプログラム２６１に基づくか、あるいは、ｅＮＢ又は他のＵＥ、又はオペレータから受信された信号に応じてアプリケーション２６２を実行するように構成される。また、メインプロセッサ２４０は、ラップトップコンピュータ及びハンドヘルドコンピュータのような他の装置に接続できる機能をＵＥ１１４に提供するＩ／Ｏインターフェース２４５に結合される。Ｉ／Ｏインターフェース２４５は、これらのアクセサリ及びメインプロセッサ２４０との間の通信経路である。
【００３４】
また、メインプロセッサ２４０は、キーパッド２５０及びディスプレイ部２５５に結合される。ＵＥ２０２のオペレータは、キーパッド２５０を使用してデータをＵＥ１１４に入力できる。ディスプレイ２５５は、液晶ディスプレイ又はウェブサイトからテキスト及び／又は少なくとも制限されたグラフィックをレンダリングできる他のディスプレイであり得る。ディスプレイ２５５は、タッチスクリーンを示すことができる。
【００３５】
メモリ２６０は、メインプロセッサ２４０に結合される。メモリ２６０の一部は、ランダムアクセスメモリ（ＲＡＭ）を含むことができ、メモリ２６０の他の部分は、フラッシュメモリ又は他の読出し専用メモリ（ＲＯＭ）を含むことができる。
【００３６】
以下でより詳細に説明するように、ＵＥ１１４の送受信経路（ＲＦ送受信器２１０、ＴＸ処理回路２１５、及び／又はＲＸ処理回路２２５を用いて具現される）は、適応的に構成されたＴＤＤシステムにおけるアップリンク及びダウンリンク適応のためのダウンリンクシグナリングをサポートする。
【００３７】
図２は、ＵＥ１１４の一例を示すが、図２に対して様々な変形がなされる。例えば、図２の様々な構成要素が結合されるか、さらに細分化されるか、又は省略されるか、特定の需要に応じて追加の構成要素が付加される。特定の例として、メインプロセッサ２４０は、１つ以上の中央処理ユニット（ＣＰＵ）及び１つ以上のグラフィック処理ユニット（ＧＰＵ）のような様々なプロセッサに分割される。また、図２は、携帯電話又はスマートフォンとして構成されるＵＥ１１４を示すが、ＵＥは、他のタイプのモバイル又は固定装置として動作するように構成される。また、図２の様々な構成要素は、異なるＲＦ構成要素がｅＮＢ１０１乃至１０３及び他のＵＥと通信するために使用される場合のように置き換えられることもある。
【００３８】
図３は、本開示によるｅＮＢ１０２の例を示す図である。図３に示すｅＮＢ１０２の実施形態は、例示的なものであるだけであり、図１の他のｅＮＢと同一であるか又は類似の構成を有する。しかしながら、ｅＮＢは、広範囲な構成で現れ、図３は、本開示の範囲をｅＮＢの任意の特定の具現例に限定しない。
【００３９】
図３に示すように、ｅＮＢ１０２は、多重アンテナ３０５ａ乃至３０５ｎ、多重ＲＦ送受信器３１０ａ乃至３１０ｎ、送信（ＴＸ）処理回路３１５、及び受信（ＲＸ）処理回路３２０を含む。また、ｅＮＢ１０２は、制御器／プロセッサ３２５、メモリ３３０、及びバックホール又はネットワークインターフェース３３５を含む。
【００４０】
ＲＦ送受信器３１０ａ乃至３１０ｎは、アンテナ３０５ａ乃至３０５ｎからＵＥ又は他のｅＮＢにより送信された信号のような入力ＲＦ信号を受信する。ＲＦ送受信器３１０ａ乃至３１０ｎは、入力ＲＦ信号をダウンコンバートすることによりＩＦ又は基底帯域信号を生成する。ＩＦ又は基底帯域信号は、ＲＸ処理回路３２０に送信され、ＲＸ処理回路２２５は、基底帯域又はＩＦ信号のフィルタリング、デコーディング及び／又はディジタル化を行うことにより、処理された基底帯域信号を生成する。ＲＸ処理回路３２０は、処理された基底帯域信号を追加で処理するために制御器／プロセッサ３２５に送信する。
【００４１】
ＴＸ処理回路３１５は、制御器／プロセッサ３２５からアナログ又はディジタルデータ（音声データ、ウェブデータ、電子メール、双方向ビデオゲームデータなど）を受信する。ＴＸ処理回路３１５は、送信基底帯域データの符号化、多重化、及び／又はディジタル化を行うことにより処理された基底帯域又はＩＦ信号を生成する。ＲＦ送受信器 ３１０ａ乃至３１０ｎは、処理された送信基底帯域又はＩＦ信号をＴＸ処理回路３１５から受信し、アンテナ３０５ａ乃至３０５ｎを通して送信される基底帯域又はＩＦ信号をＲＦ信号にアップコンバートする。
【００４２】
制御器／プロセッサ３２５は、ｅＮＢ１０２の全般的な動作を制御する１つ以上のプロセッサ又は他の処理装置を含む。例えば、制御器／プロセッサ３２５は、よく知られている原理に従ってＲＦ送受信器３１０ａ乃至３１０ｎ、ＲＸ処理回路３２０、及びＴＸ処理回路３１５により順方向チャネル信号の受信及び逆方向チャネル信号の送信を制御する。制御器／プロセッサ３２５は、より進歩した無線通信機能のような追加の機能もサポートすることができる。例えば、制御器／プロセッサ３２５は、様々なアンテナ３０５ａ乃至３０５ｎから送信される信号を所望する方向に効率的に操縦するために送信される信号を異なって加重させるビームフォーミング又は方向性ルーティング動作をサポートする。広範囲な他の機能の中のいずれか１つが制御器／プロセッサ３２５によりｅＮＢ１０２内でサポートされる。一部の実施形態において、制御器／プロセッサ３２５は、少なくとも１つのマイクロプロセッサ又はマイクロコントローラを含む。
【００４３】
また、制御器／プロセッサ３２５は、基本ＯＳのように、メモリ３３０に滞在するプログラム及び他のプロセスを実行することもできる。制御器／プロセッサ３２５は、実行プロセスにより要請される時に、メモリ３３０の内部又は外部にデータを移動できる。
【００４４】
制御器／プロセッサ３２５は、バックホール又はネットワークインターフェース３３５にも結合される。バックホール又はネットワークインターフェース３３５は、ｅＮＢ１０２がバックホール接続又はネットワークを通して他の装置又はシステムと通信できるようにする。インターフェース３３５は、ある適切な有線又は無線接続を通して通信をサポートできる。例えば、ｅＮＢ１０２がセルラー通信システム（５Ｇ、ＬＴＥ、又はＬＴＥ−Ａをサポートするもののようなシステム）として具現される時に、インターフェース３３５は、ｅＮＢ１０２が有線又は無線バックホール接続を通して他のｅＮＢと通信できるようにする。ｅＮＢ１０２がアクセスポイントとして具現される時に、インターフェース３３５は、ｅＮＢ１０２が有線又は無線ローカル領域ネットワークを通すか（インターネットのような）又はより大きいネットワークへの有線又は無線接続を通して通信するようにする。インターフェース３３５は、イーサネット（登録商標）又はＲＦ送受信器のように、有線又は無線接続を通した通信をサポートするある適切な構造を含む。
【００４５】
メモリ３３０は、制御器／プロセッサ３２５に結合される。メモリ３３０の一部は、ＲＡＭを含み、メモリ３３０の他の一部は、フラッシュメモリ又は他のＲＯＭを含むことができる。
【００４６】
以下では、より詳細に説明するように、ｅＮＢ１０２の送受信経路（ＲＦ送受信器３１０ａ乃至３１０ｎ、ＴＸ処理回路３１５、及び／又はＲＸ処理回路３２０を用いて具現される）は、適応的に構成されたＴＤＤシステムにおけるアップリンク及びダウンリンク適応のためのダウンリンクシグナリングをサポートする。
【００４７】
図３は、ｅＮＢ１０２の一例を示しているが、図３に対して様々な変形がなされる。例えば、ｅＮＢ１０２は、図３に示す所定数のそれぞれの構成要素を含む。特定の例として、アクセスポイントは、複数のインターフェース３３５を含み、制御器／プロセッサ３２５は、異なるネットワークアドレスの間でデータをルーティングするルーティング機能をサポートできる。他の特定の例として、１つのインスタンスのＴＸ処理回路３１５及び１つのインスタンスのＲＸ処理回路３２０を含むもので図示されているが、ｅＮＢ１０２は、それぞれに対して様々なインスタンスを含む（ＲＦ送受信器当たりの１つなど）。
【００４８】
一部の無線ネットワークにおいて、ＤＬ信号は、情報コンテンツを伝達するデータ信号、ＤＬ制御情報（ＤＣＩ）を伝達する制御信号、及びパイロット信号とも知られている参照信号（ＲＳ）を含む。ｅＮＢは、データ情報又はＤＣＩを個別的な物理ＤＬ共有チャネル（ＰＤＳＣＨｓ）又は物理ＤＬ制御チャネル（ＰＤＣＣＨｓ）を通して送信することができる。改善したＰＤＣＣＨ（ＥＰＤＣＣＨｓ）も使用され得るが、 簡単のために、ＥＤＰＰＣＨに対する説明は省略する。
【００４９】
ｅＮＢ１０２のようなｅＮＢは、ＵＥ−共通ＲＳ（ＣＲＳ）、チャネル状態情報ＲＳ（ＣＲＳ−ＲＳ）、及び復調ＲＳ（ＤＭＲＳ）を含む様々なタイプのＲＳの中の１つ以上を送信する。ＣＲＳは、ＤＬシステム帯域幅（ＢＷ）を通して送信され、ＵＥ１１４のようなＵＥによりデータを復調するか、信号を制御するか、又は測定を実行するために使用され得る。ＣＲＳオーバーヘッドを減少させるために、ｅＮＢ１０２は、時間又は周波数ドメインでＣＲＳより小さい密度を有するＣＳＩ−ＲＳを送信できる。チャンネル測定のために、非ゼロ（non-zero）電力ＣＳＩ−ＲＳ（ＮＺＰ ＣＳＩ−ＲＳ）リソースが使用され得る。干渉測定のために、ＵＥ１１４は、上位階層シグナリングを用いてｅＮＢ１０２をサービスすることによって、ＵＥ１１４に対して構成されたゼロ電力ＣＳＩ−ＲＳ（ＺＰ ＣＳＩ−ＲＳ）と関連したＣＳＩ干渉測定（ＣＳＩ−ＩＭ）リソースを使用することができる。ＮＺＰ ＣＳＩ−ＲＳ構成は、多様なＣＳＩ−ＲＳアンテナポート、リソース構成、時間構成などを含むことができる（参照３）。ＣＳＩ−ＩＭリソース構成は、ＺＰ ＣＳＩ−ＲＳ構成（パターン）及びＺＰ ＣＳＩ−ＲＳサブフレーム構成を含むことができる（参照１及び参照３）。ＵＥ１１４は、一つのＺＰ ＣＳＩ−ＲＳリソース構成と完全に重なるものではないＣＳＩ−ＩＭリソース構成を受信すると期待されない。ＣＳＩプロセスは一つのＮＺＰ ＣＳＩ−ＲＳ及び一つのＣＳＩ−ＩＭでなされる。ＵＥ１１４は、測定を実行するためにＣＲＳ又はＣＳＩ−ＲＳを使用することができ、選択は、ＵＥ１１４がＰＤＳＣＨ受信に対して構成される送信モード（ＴＭ）に基づけられる（参照３）。最後に、ＤＭＲＳがそれぞれのＰＤＳＣＨ又はＰＤＣＣＨのＢＷのみで送信され、ＵＥ１１４は、ＤＭＲＳを使用してＰＤＳＣＨ又はＰＤＣＣＨの情報を復調できる。
【００５０】
ある無線ネットワークにおいて、ＵＬ信号は、情報コンテンツを伝達するデータ信号、ＵＬ制御情報（ＵＣＩ）を伝達する制御信号、及びＲＳを含む。ＵＥ１１４は、それぞれの物理ＵＬ共有チャネル（ＰＵＳＣＨ）又は物理ＵＬ制御チャネル（ＰＵＣＣＨ）を通してデータ情報又はＵＣＩを送信する。ＵＥ１１４がデータ情報及びＵＣＩを同一に送信する場合に、ＵＥ１１４は、ＰＵＳＣＨを通して両方を多重化できる。ＵＣＩは、データＰＤＳＣＨを通してデータ送信ブロック（ＴＢｓ）の正確な（ＡＣＫ）又は不正確な（ＮＡＣＫ）検出を示すハイブリッド自動反復要請確認（ＨＡＲＱ−ＡＣＫ）情報、ＵＥ１１４が自身のバッファ内にデータを有するか否かを示すサービス要請（ＳＲ）情報、及びｅＮＢ１０２がＵＥ１１４へのＰＤＳＣＨ送信のための適切なパラメータを選択できるようにするチャネル状態情報（ＣＳＩ）を含み得る。
【００５１】
ＨＡＲＱ−ＡＣＫ情報は、正確なＰＤＣＣＨ又はデータＴＢ検出に対応してポジティブ認知(ＡＣＫ)、不正確なデータＴＢ検出に対する応答でネガティブ認知(ＮＡＣＫ)及び黙示的又は明示的であり得るＰＤＣＣＨ検出の不在(ＤＴＸ)を含むことができる。ＤＴＸは、ＵＥがＨＡＲＱ-ＡＣＫ信号を送信しない場合、黙示的である。ＤＴＸは、ＵＥが他の方式でミスされたＰＤＣＣＨを識別できる(また、同一のＮＡＣＫ/ＤＴＸ状態でＮＡＣＫ及びＤＴＸを表すことができる)場合、明示的である。
【００５２】
ＣＳＩは、所定ターゲットブロック誤り率（ＢＬＥＲ）でＵＥにより受信され得る転送ブロックサイズ（ＴＢＳ）をｅＮＢ１０２に知らせるチャンネル品質指示子（ＣＱＩ）、多重入力多重出力（ＭＩＭＯ）送信原理によって多重送信アンテナからの信号を結合する方法をｅＮＢ１０２に知らせるプリコーディング行列指示子（ＰＭＩ）、及びＰＤＳＣＨに対する送信ランクを知らせるランク指示子（ＲＩ）を含み得る。例えば、ＵＥ１１４は、構成されたＰＤＳＣＨ ＴＭ及びＵＥの受信器特性を考慮しながら、信号対雑音及び干渉（ＳＩＮＲ）測定からＣＱＩを判定できる。したがって、ＵＥ１１４からのＣＱＩ報告がサービスｅＮＢ１０２にＵＥ１１４に対するＤＬ信号送信を介して経験されるＳＩＮＲ状態に対する推定値を提供できる。
【００５３】
ＵＥ１１４からのＣＳＩ送信は、ＰＤＣＣＨスケジューリングＰＵＳＣＨにより伝達されるＤＣＩフォーマットに含まれたＣＳＩ要請フィールドを通してトリガーされるもののように周期的（Ｐ−ＣＳＩ）又は非周期的（Ａ−ＣＳＩ）であり得る。ＵＬＲＳはＤＭＲＳ及びサウンディングＲＳ（ＳＲＳ）を含む。ＤＭＲＳは、それぞれのＰＵＳＣＨやＰＵＣＣＨのＢＷだけで送信されることができ、ｅＮＢ１０２は、ＤＭＲＳを使用してＰＵＳＣＨ又はＰＵＣＣＨの情報を復調できる。
【００５４】
ＳＲＳは、ＵＬ ＣＳＩをｅＮＢ１０２に提供するために、ＵＥ１１４により送信される。ＵＥ１１４からのＳＲＳ送信は、無線リソース制御（ＲＲＣ）シグナリングのような上位レイヤーシグナリングによりＵＥ１１４に対して構成される送信パラメータを使用して所定のＴＴＩ間隔で周期的であり得（Ｐ−ＳＲＳ）、あるいは、タイプ０ ＳＲＳであり得る（参照４）。また、ＵＥ１１４からのＳＲＳ送信は、ＰＤＣＣＨスケジューリングＰＵＳＣＨ又はＰＤＳＣＨにより伝達され、サービングｅＮＢ１０２により上述のＵＥ１１４に対して設定されたＡ−ＳＲＳ送信パラメータの集合からＡ−ＳＲＳ送信パラメータを示すＤＣＩフォーマットに含まれたＳＲＳ要請フィールドによりトリガーされるもののように非周期的（Ａ−ＳＲＳ、又はタイプ１ＳＲＳ）であり得る（参照２及び３）。
【００５５】
ＵＥ１１４が同一のセルのＰ−ＣＳＩ及びＡ−ＣＳＩ又はＰ−ＳＲＳ及びＡ−ＳＲＳの同時送信に対して構成される時、それはＡ−ＣＳＩ及びＡ−ＳＲＳに対する送信を各々優先し、Ｐ−ＣＳＩ及びＰ−ＳＲＳに対する送信を保留する。ＵＥ１１４が多様なＣＳＩプロセスを有して構成され、相異なるＣＳＩプロセスに対応する一つ以上のＰ−ＣＳＩを同時に送信しなければならない場合、それはより小さなＣＳＩプロセスインデックスと関連したＰ−ＣＳＩ送信を優先し、他のＰ−ＣＳＩ送信を保留する。ＵＥ１１４がそれぞれの多様なＤＬセルに対応する多様なＰ−ＣＳＩを報告するように構成されるか、それぞれの多様なＤＬセルに対応する多様なＰ−ＳＲＳを送信するように構成され、一つ以上のＰ−ＣＳＩや一つ以上のＰ−ＳＲＳをそれぞれ同時に送信しなければならない場合、それはより小さなＤＬセルと関連したＰ−ＣＳＩ送信やより小さなＵＬセルインデックスと関連したＰ−ＳＲＳ送信を優先し、他のＰ−ＣＳＩ送信又はＰ−ＳＲＳ送信各々を保留する（参照３）。
【００５６】
図４は、本開示によるＴＴＩでのＰＵＳＣＨ送信構造の例を示す図である。図４に示すＴＴＩでのＰＵＳＣＨ送信構造４００の実施形態は、ただ例示のためのものである。本開示の範囲から逸脱しない他の実施形態が使用されることもできる。
【００５７】
図４に示すように、ＴＴＩは、２つのスロットを含む１つのサブフレーム４１０に対応する。それぞれのスロット４２０は、データ情報、ＵＣＩ、又はＲＳを送信するための
【００５８】
【数１】
2019176478.tif 000003
【００５９】
個のシンボル４３０を含む。それぞれのスロットで一部のＰＵＳＣＨシンボルは、ＤＭＲＳ４４０を送信するために使用される。送信ＢＷは、リソースブロック（ＲＢ）と呼ばれる周波数リソースユニットを含む。それぞれのＲＢは、
【００６０】
【数２】
2019176478.tif 000004
【００６１】
個の副搬送波又はリソースエレメント（ＲＥ）を含み、ＵＥには、ＰＵＳＣＨ送信ＢＷに対して総
【００６２】
【数３】
2019176478.tif 000005
【００６３】
個のＲＥに対するMPUSCH個のＲＢ４５０が割り当てられる。最後のＴＴＩシンボルは、１つ以上のＵＥからのＳＲＳ送信４６０を多重化するために使用される。データ／ＵＣＩ／ＤＭＲＳ送信に使用可能なＴＴＩシンボルの個数は、
【００６４】
【数４】
2019176478.tif 000006
【００６５】
であり、ここで、最後のＴＴＩシンボルがＳＲＳを送信するために使用される場合には、ＮＳＲＳ＝１であり、他の場合には、ＮＳＲＳ＝０である。
【００６６】
図５は、本開示によるＰＵＳＣＨ内のデータ情報及びＵＣＩのための送信器ブロック図の例を示す図である。図５に示す送信器５００の実施形態は、ただ例示のためのものである。本開示の範囲から逸脱しない他の実施形態が使用されることもできる。所定の実施形態において、送信器５００は、ｅＮＢ１０２内に位置する。所定の実施形態において、送信器５００は、ＵＥ１１４内に位置する。
【００６７】
図５に示すように、符号化されたＣＳＩシンボル５０５及び符号化されたデータシンボル５１０がマルチプレクサ５２０により多重化される。その後に符号化されたＨＡＲＱ−ＡＣＫシンボルがマルチプレクサ５３０によりデータシンボル及び／又はＣＳＩシンボルをパンクチャすることにより挿入される。符号化されたＲＩシンボルの送信は、符号化されたＨＡＲＱ−ＡＣＫシンボルに対するものと類似している（図示せず）。離散フーリエ変換（ＤＦＴ）がＤＦＴユニット５４０により取得され、ＰＵＳＣＨ送信ＢＷに対応するＲＥ５５０が選択器５５５により選択され、逆高速フーリエ変換（ＩＦＦＴ）がＩＦＦＴユニット５６０により実行され、出力がフィルタ５７０によりフィルタリングされ、電力増幅器（ＰＡ）５８０により所定の電力が印加され、その後に、信号の送信５９０が行われる。ディジタル−アナログ変換器、フィルタ、増幅器、及び送信器アンテナだけでなくデータシンボル及びＵＣＩシンボルのための符号化器及び変調器のような追加の送信器回路は、単純化のために省略する。
【００６８】
図６は、本開示によるＰＵＳＣＨ内のデータ情報及びＵＣＩのための受信器ブロック図の例を示す図である。図６に示す受信器６００の実施形態は、ただ例示のためのものである。本開示の範囲から逸脱しない他の実施形態が使用されることもできる。所定の実施形態において、受信器６００は、ｅＮＢ１０２の内に位置する。所定の実施形態において、受信器６００は、ＵＥ１１４の内に位置する。
【００６９】
図６に示すように、受信された信号６１０は、フィルタ６２０によりフィルタリングされ、高速フーリエ変換（ＦＦＴ）がＦＦＴユニット６３０により適用され、選択器ユニット６４０が送信器により使用されたＲＥ６５０を選択し、逆ＤＦＴ（ＩＤＦＴ）ユニットがＩＤＦＴ６６０を適用し、デマルチプレクサ６７０が符号化されたＨＡＲＱ−ＡＣＫシンボルを抽出することによりデータシンボル及びＣＳＩシンボルに対応するＲＥに消去器（erasure）を位置させ、最後に他のデマルチプレクサ６８０が符号化されたデータシンボル６９０と符号化されたＣＳＩシンボル６９５を分離させる。符号化されたＲＩシンボルの受信は、符号化されたＨＡＲＱ−ＡＣＫシンボルに対するものと類似している（図示せず）。データ及びＵＣＩシンボルに対するチャネル推定器、復調器及びデコーダのような追加の受信器回路は、簡単のために図示しない。
【００７０】
【数５】
2019176478.tif 000007
【００７１】
図７は、本開示によるＤＭＲＳ又はＳＲＳとして使用されることができるＺＣシーケンスのための送信器構造の例を示す図である。図７に示す送信器７００の実施形態は、ただ例示のためのものである。本開示の範囲から逸脱しない他の実施形態が使用されることもできる。所定の実施形態において、送信器７００は、ｅＮＢ１０２内に位置する。
【００７２】
図７に示すように、マッパー７２０がＲＥ選択ユニット７３０により示されるように、長さ
【００７３】
【数６】
2019176478.tif 000008
【００７４】
のＺＣシーケンス７１０を送信ＢＷのＲＥにマッピングする。マッピングは、ＤＭＲＳに対して連続的なＲＥに対するものでもあり得、ＳＲＳに対する他のＲＥに対するものでもあり得、それにより、コーム（comb）スペクトルを生成できる。その後に、ＩＦＦＴがＩＦＦＴユニット７４０により実行され、ＣＳがＣＳユニット７５０による出力に印加され、その結果、信号がフィルタ７６０によりフィルタリングされる。最後に、送信電力が電力増幅器７７０により印加され、ＲＳの送信７８０が行われる。
【００７５】
＜表１＞は、ＳＲＳ送信ＢＷに対する多様な組合を羅列する。ｅＮＢ１０２は、ブロードキャストチャンネルを通してＳＲＳ ＢＷ構成ｃをシグナリングできる。例えば、３ビットが＜表１＞の８構成のうち一つを示すことができる。ｅＮＢ１０２は、これから、ＳＲＳ ＢＷ構成ｃに対してｂという値を示すことによって、ＵＥ１１４、ＵＥ１１５、ＵＥ１１６のようなそれぞれのＵＥに（ＲＢを介して）ＳＲＳ送信ＢＷ
【００７６】
【数７】
2019176478.tif 000009
【００７７】
を割り当てることができる。Ｐ−ＳＲＳに対して、これは２ビットの上位階層シグナリングを通したものであり得る。Ａ−ＳＲＳに対して、これは上位階層シグナリングによりＵＥに対して構成されたＢＷの集合から一つのＢＷを動的に示す各自のＤＣＩフォーマットによるものであり得る。最大ＳＲＳ ＢＷの変動は、基本的に可変する総ＰＵＣＣＨサイズを収容するためのものである。ＰＵＣＣＨはＵＬ ＢＷの２エッジから送信されると仮定され、ＳＲＳと重複されないことがある。したがって（ＲＢを通した）総ＰＵＣＣＨサイズが大きいほど、最大ＳＲＳ送信ＢＷは小さくなる。すなわち、（ＲＢを通した）総ＰＵＣＣＨサイズが増加しながら最大ＳＲＳ送信ＢＷは減少する。
【００７８】
【表１】
2019176478.tif 000010
【００７９】
ＴＤＤ通信システムにおいて、一部のＴＴＩでの通信方向は、ＤＬであり、一部の他のＴＴＩでの通信方向は、ＵＬである。＜表２＞は、フレーム期間とも呼ばれる１０個のＴＴＩ（１つのＴＴＩが１ミリ秒（msec）のデュレーションを有する）間の指示ＵＬ−ＤＬ構成をリストする。“Ｄ”は、ＤＬ ＴＴＩを示し、“Ｕ”は、ＵＬ ＴＴＩを示し、“Ｓ”は、ＤｗＰＴＳと呼ばれるＤＬ送信フィールド、保護期間（ＧＰ）、及びＵｐＰＴＳと呼ばれるＵＬ送信フィールドを含む特別なＴＴＩを示す。総デュレーションが１つのＴＴＩである状況を前提とする特別なＴＴＩ内の各フィールドのデュレーションには、複数の組み合せが存在する。
【００８０】
【表２】
2019176478.tif 000011
【００８１】
＜表２＞のＴＤＤ ＵＬ−ＤＬ構成は、ＤＬ ＴＴＩとなるようにフレーム当たりに４０％及び９０％のＤＬ ＴＴＩを提供する（残りは、ＵＬ ＴＴＩとなるように提供する）。このような柔軟性にもかかわらず、システム情報ブロック（ＳＩＢ）のシグナリングを通すか、又はＤＬキャリアアグリゲーション及び２次セルの場合にＲＲＣシグナリング（参照３及び参照４）を通した６４０ｍｓｅｃ未満の頻度ごとにアップデートされることができる準静的ＴＤＤ ＵＬ−ＤＬ構成は、短期データトラフィック状態とよく合わないことがあり得る。本開示の残りの部分において、そのようなＴＤＤ ＵＬ−ＤＬ構成は、従来の（又は非適応）ＴＤＤ ＵＬ−ＤＬ構成と呼ばれ、セル内の従来の（又はレガシー）ＵＥにより使用されるものと仮定する。このような理由で、ＴＤＤ ＵＬ−ＤＬ構成の高速適応期間が特に短いか、又は中間個数の接続ＵＥがある場合のシステム処理率を改善させることができる。例えば、ＵＬトラフィックよりさらに多くのＤＬトラフィックが存在する時に、従来のＴＤＤ ＵＬ−ＤＬ構成は、１０、２０、４０又は８０ｍｓｅｃごとに、さらに多くのＤＬ ＴＴＩを含む他のＴＤＤ ＵＬ−ＤＬ構成で適応されることができる。ＴＤＤ ＵＬ−ＤＬ構成の高速適応のためのシグナリングは、ＰＤＣＣＨを通したＤＣＩフォーマットシグナリングを含んでいくつかのメカニズムを通して提供されることができる。
【００８２】
従来のものと他の方式に従うＴＤＤ ＵＬ−ＤＬ構成の適応における動作制約は、そのような適応に対して認知できないＵＥの可能な存在にある。そのようなＵＥを従来のＵＥと称する。従来のＵＥがそれぞれのＣＲＳを用いてＤＬ ＴＴＩで測定を実行するために、そのようなＤＬ ＴＴＩは、従来のＴＤＤ ＵＬ−ＤＬ構成の高速適応を通してＵＬ ＴＴＩ又は特別のＴＴＩに変更されることができない。しかしながら、ＵＬ ＴＴＩは、従来のＵＥに影響を与えずＤＬ ＴＴＩに変更されることができ、これは、ｅＮＢ１０２が、そのようなＵＥがそのようなＵＬ ＴＴＩで何の信号も送信しないことを保証できるためである。また、すべてのＴＤＤ ＵＬ−ＤＬ構成に共通するＵＬ ＴＴＩが存在し、ｅＮＢ１０２がＵＬ ＴＴＩをＵＬのものだけとして選択できるようにする。＜表２＞のすべてのＴＤＤ ＵＬ−ＤＬ構成を含む一部の具現例において、ＵＬ ＴＴＩは、ＴＴＩ＃２である。
【００８３】
ＴＴＩは、従来のＴＤＤ ＵＬ−ＤＬ構成でＵＬ ＴＴＩである場合にＤＬフレキシブルＴＴＩと称され、適応したＴＤＤ ＵＬ−ＤＬ構成のＤＬ ＴＴＩに適応される。ＴＴＩは、適応したＴＤＤ ＵＬ−ＤＬ構成のＤＬ ＴＴＩに適応されることができるが、ＵＬ ＴＴＩのままである従来のＴＤＤ ＵＬ−ＤＬ構成でＵＬ ＴＴＩである場合にＵＬフレキシブルＴＴＩと称される。
【００８４】
上記のような内容を考慮して、＜表３＞は、＜表２＞のそれぞれのＴＤＤ ＵＬ−ＤＬ構成ごとにフレキシブルＴＴＩ（‘Ｆ’で表示）を示す。明確に、従来のＴＤＤ ＵＬ−ＤＬ構成のＤＬ ＴＴＩがＵＬ ＴＴＩに変更されることができないので、すべてのＴＤＤ ＵＬ−ＤＬ構成がすべて適応のために使用されることはできない。例えば、ＴＤＤ ＵＬ−ＤＬ構成２が従来のものであるとき、適応は、ただＴＤＤ ＵＬ−ＤＬ構成５に対するものであり得る。また、ＵＥがＨＡＲＱ−ＡＣＫ送信のためのＵＬ ＴＴＩを導出するように設定されたＴＤＤ ＵＬ−ＤＬ構成の使用は、適応に使用されることができるＴＤＤ ＵＬ−ＤＬ構成をさらに制限し、これは、そのようなＵＬ ＴＴＩがＵＬ固定ＴＴＩであるためである。したがって、例えば、ＵＥ１１４がＵＬ ＴＴＩでの従来のＴＤＤ ＵＬ−ＤＬ構成でＤＬ ＴＴＩを適応させる場合に、ＴＤＤ ＵＬ−ＤＬ構成に対する適応の指示は、ＵＥ１１４により無効なものであると見なされることができる。無効な指示は、例えば、適応したＴＤＤ ＵＬ−ＤＬ構成に対する指示を伝達するＤＣＩフォーマットに対するＵＥ１１４からの誤検出により引き起こされることがある。
【００８５】
【表３】
2019176478.tif 000012
【００８６】
ｅｎＢが物理的階層シグナリングを使用するＲＲＣシグナリングによるものより、より頻繁にＴＤＤ ＵＬ−ＤＬ構成を適応させることができると、フレキシブルＴＴＩ（従来のＴＤＤ ＵＬ−ＤＬ構成のＵＬ ＴＴＩのみであり得る）は、従来のＵＥからいかなる周期的ＵＬシグナリングも伝達できないが、これはそれがＲＲＣシグナリングにより構成されるためである。これはフレキシブルＴＴＩで従来のＵＥがＳＰＳＰＤＳＣＨに応答してＳＲＳやＣＳＩやＳＲやＨＡＲＱ−ＡＣＫシグナリングの送信に対して構成されないということを意味する。また、ＰＤＳＣＨ受信に応答して参照ＴＤＤ ＵＬ−ＤＬ構成がＨＡＲＱ−ＡＣＫシグナリングに対して使用される場合、それぞれのＵＬ ＴＴＩはＤＬ ＴＴＩに対して適応されることができなく、それによってそれはフレキシブルＴＴＩではない。しかしながら、ＵＥがＵＬフレキシブルＴＴＩでＳＲＳを送信する必要性が存在するが、これは後で論議されるように、ＵＥからの信号送信により経験される干渉がＵＬ固定ＴＴＩと相異なることがあり、ｅＮＢがフレキシブルＴＴＩの内にＵＥに対する個別ＵＬ ＣＳＩを獲得しなければならないためである。
【００８７】
図８は、本開示によるＵＬ ＴＴＩでのＵＬ制御シグナリング又はＵＬ周期的シグナリングの存在又は不在の例を示す。図８に示すシグナリングの実施形態は、ただ例示のためのものである。本開示の範囲から逸脱しない他の実施形態が使用されることもできる。
【００８８】
図８に示すように、ＴＤＤ ＵＬ−ＤＬ構成１が従来のＴＤＤ ＵＬ−ＤＬ構成８１０であると仮定する場合、ＴＴＩ＃２８２０は、ＵＬ固定方向を有するが、ＴＴＩ＃３８３０、ＴＴＩ＃７８４０、及びＴＴＩ＃８８５０は、フレキシブル方向を有する。このようなフレキシブルＴＴＩがＲＲＣ構成レートより速いレートでＤＬ ＴＴＩとして構成される可能性があるために、これらは従来のＵＥからの周期的ＣＳＩ、ＳＲ、周期的ＳＲＳ、及びＳＰＳＰＵＳＣＨのような周期的シグナリングを使用して構成され得る。また、スケジューリングされたＰＤＳＣＨ受信に従うＨＡＲＱ−ＡＣＫ送信のタイムラインを単純化するために、該当フレキシブルＴＴＩも動的ＨＡＲＱ−ＡＣＫ送信に使用されないことがある。すると、上述した全てのＵＬ送信がＵＬ固定ＴＴＩで発生されなければならない。
【００８９】
ＵＥ１１４に対する送信帯域幅を拡大し、より高いデータレートをサポートするために、キャリアアグリゲーション（ＣＡ）が使用され、ＣＡで複数のコンポーネントキャリア(又はセル）はアグリゲートされ、ＵＥへの(ＤＬ ＣＡ)送信又はＵＥからの(ＵＬ ＣＡ)送信のために共に使用される。 一部実施形態において、最大５個のコンポーネントキャリアがＵＥに対してアグリゲートされ得る。ＤＬ ＣＡのために使われるコンポーネントキャリアの個数は、ＵＬ ＣＡのために使用されるコンポーネントキャリアの個数と異なることができる。ＣＡが構成される前に、ＵＥ１１４は、ネットワークと１個のみのＲＲＣ接続のみを有することができる。１個のサービングセルは、ＲＲＣ接続成立/再成立/ハンドオーバーの際に移動性情報を提供し、ＲＲＣ接続再成立/ハンドオーバー時にセキュリティ入力を提供する。このセルは、基本セル(Primary Cell：ＰＣｅｌｌ)と称する。ＰＣｅｌｌに対応するＤＬキャリアは、ＤＬ一次コンポーネントキャリア（ＤＬＰＣＣ）と称され、その関連ＵＬキャリアは、ＵＬ一次コンポーネントキャリア（ＵＬＰＣＣ）と称される。ＵＥの能力に基づき、ＤＬ又はＵＬ補助セル(Secondary Cell：ＳＣｅｌｌ)は(ＰＣｅｌｌと共に)サービングセルの集合を構成するように設定されることができる。ＳＣｅｌｌに対応するキャリアは、ＤＬでのＤＬ二次コンポーネントキャリア（ＤＬＳＣＣ）と称され、その関連ＵＬキャリアは、ＵＬ二次コンポーネントキャリア（ＵＬＰＣＣ）と称される。ＵＥ１１４に対して構成されるＰＣｅｌｌ及びＳＣｅｌｌは、同一のＴＤＤ ＵＬ-ＤＬ構成又は再構成を有することができない。ｅＮＢがＣＡとＴＤＤ ＵＬ-ＤＬ構成の適応をサポートする場合、適応したＴＤＤ ＵＬ-ＤＬ構成を指示するＤＣＩフォーマットは、複数のセルに対して各々３ビットのインジケータを含むことができる。
【００９０】
追加的に、本開示の実施形態は、実質的にＰＵＳＣＨ送信に対して使用可能な帯域幅以上であり得るＵＬフレキシブルＴＴＩの周期的ＳＲＳ送信をサポートするためのメカニズムを提供する。また、本開示の実施形態は、実質的にＰＵＳＣＨ送信に対して使用可能な帯域幅以上であり得るＵＬフレキシブルＴＴＩの周期的ＳＲＳ送信をサポートするためのメカニズムを提供する。また、本開示の実施形態は、非周期的ＳＲＳ送信がＵＬ固定ＴＴＩ又はＵＬフレキシブルＴＴＩのためのものであるかを判定するためのメカニズムをＵＥに提供する。また、本開示の実施形態は、ＰＵＣＣＨでＤＬフレキシブルＴＴＩの周期的ＣＳＩ送信をサポートするメカニズムを提供する。本開示の実施形態は、ＰＵＳＣＨでＤＬフレキシブルＴＴＩの周期的ＣＳＩ送信をサポートするメカニズムを提供する。また、本開示の実施形態は、非周期的ＣＳＩ送信がＤＬ固定ＴＴＩ又はＤＬフレキシブルＴＴＩのためのものであるかを判定するためのメカニズムをＵＥ１１４に提供する。また、本開示の実施形態は、ｅＮＢ１０２がＵＬフレキシブルＴＴＩ又はＵＬ固定ＴＴＩでＵＥ１１４から送信されたＳＲＳの受信に各々基盤するＤＬ固定ＴＴＩやＤＬフレキシブルＴＴＩでＵＥ１１４に対するＤＬリンク適応を実行するようにするメカニズムを提供する。また、本開示の実施形態は、ＵＥ１１４がＤＬ固定ＴＴＩを含むＴＴＩの第１の集合及びＤＬフレキシブルＴＴＩを含むＴＴＩの第２の集合に対するＣＳＩを測定するようにするメカニズムを提供する。
【００９１】
ＵＬフレキシブルＴＴＩでのＰ−ＳＲＳ送信サポート
【００９２】
所定の実施形態において、ＴＤＤ ＵＬ−ＤＬ構成の適応の際、ＵＬ固定ＴＴＩで経験した干渉と異なることがある、ＵＥ１１４により経験される干渉を判定するために、ｅＮＢ１０２が可能な限り迅速にＵＥ１１４からＵＬフレキシブルＴＴＩに対するＵＬ ＣＳＩを獲得し、その自身のセルや他のセルでＴＤＤ ＵＬ−ＤＬ構成の次の適応前に、ＵＬフレキシブルＴＴＩでそれぞれのＰＵＳＣＨ送信に対するリンク適応を実行することが（これが再度干渉特性を変更できるので）望ましい。ＵＥ１１４からＡ−ＳＲＳ送信をトリガーすることが、一部ＵＥにあってはこのような目的を達成させることができるが、望ましくはＴＤＤ ＵＬ−ＤＬ構成適応以後、可能な迅速にＵＬフレキシブルＴＴＩでＰＵＳＣＨ送信をスケジューリングするための関連ＰＤＣＣＨリソース要件によって、そして全てのＵＥがそのようなＰＵＳＣＨ送信を必要とすることではないので、それが一般的な解決法とはなれない。
【００９３】
ＴＤＤ ＵＬ−ＤＬ構成適応後、ＵＬフレキシブルＴＴＩでそれぞれのＵＥによりＰＵＳＣＨを通じて送信するデータの存在やＰＤＣＣＨリソースの使用可能性に依存することを避けるために、本開示の実施形態は、ＵＬフレキシブルＴＴＩのＰ−ＳＲＳ送信がＵＬ固定ＴＴＩのＰ−ＳＲＳ送信と別個にＵＥ１１４に対して構成されると見なす。ＵＬフレキシブルＴＴＩでのＰ−ＳＲＳ送信は、ＵＥ１１４がそのＴＴＩでの通信方向がＵＬであると知っている場合のみに発生する（適応したＴＤＤ ＵＬ−ＤＬ構成を示すＰＤＣＣＨを通して送信されるＤＣＩフォーマットのようにシグナリングにより決定されるもののように）；そうでなくて、フレキシブルＴＴＩの通信方向がＤＬであるか、以前のシグナリング受信不能によりＵＥ１１４がフレキシブルＴＴＩでの実際通信方向（ＤＬ又はＵＬ）を知らない場合、ＵＥ１１４は、Ｐ−ＳＲＳを送信しない。Ｐ−ＳＲＳ送信をするＵＬフレキシブルＴＴＩは、例えば適応されるＴＤＤ ＵＬ−ＤＬ構成の第１のＵＬフレキシブルＴＴＩであるか、ＵＥ１１４に対して構成されたＴＴＩの集合内の第１のＵＬフレキシブルＴＴＩであり得る。ＵＬ固定ＴＴＩでのＰ−ＳＲＳ送信は、ｅＮＢ１０２からの上位階層シグナリングにより再構成されるまで設定された周期性を持って常に発生する。また、以後に論議されるように、一部ＵＥが各々相異なるＵＬフレキシブルＴＴＩで相異なる干渉を経験するために、Ｐ−ＳＲＳ送信は、同一のフレーム内の複数ＵＬフレキシブルＴＴＩで構成されることができる。それにも係らず、Ｐ−ＳＲＳ送信が各自のＰＤＣＣＨでのＤＣＩフォーマットのみによってトリガーされることも可能である。このとき、Ｐ−ＳＲＳは、Ａ−ＳＲＳと類似であるが、単一送信の代わりに、送信はフレキシブルＴＴＩがＵＬフレキシブルＴＴＩである限り周期的であり得る。
【００９４】
Ｐ−ＳＲＳ送信パラメータがＵＥに共通的でありながら（ＳＩＢシグナリングによりＵＥに通知される）ＵＥに固有であるために（ＲＲＣシグナリングのようにＵＥ固有の上位階層シグナリングによりＵＥに通知される）、ＵＬフレキシブルＴＴＩでのＵＥ共通のＰ−ＳＲＳ送信パラメータは、ＵＬ固定ＴＴＩで個別的なものから黙示的に導出されることができ、ＵＬフレキシブルＴＴＩでのＵＥ固有のＰ−ＳＲＳ送信パラメータは、ＵＬ固定ＴＴＩでより高い別個の階層シグナリングにより通知されることができる。ＵＥ１１４には、ｅＮＢ１０２が従来のＵＥにより解説されないＳＩＢの予備フィールドを介して、あるいは、ＵＥ１０２が従来のＵＥのようにｅＮＢ１０２に接続した以後、上位階層シグナリングを通して、ＴＤＤ ＵＬ−ＤＬ構成適応を適用するということが通知されることができる。
【００９５】
ＵＬ固定ＴＴＩに対するＵＥ共通Ｐ−ＳＲＳパラメータは、以下のものを含むことができる：
Ｐ−ＳＲＳ ＢＷ構成
Ｐ−ＳＲＳ送信ＴＴＩ（Ｐ−ＳＲＳが送信され得る開始ＴＴＩ及びＴＴＩの周期性；例えば、開始ＴＴＩはＴＴＩ＃２であり得、Ｐ−ＳＲＳ送信ＴＴＩは、５個のＴＴＩごとに、あるいは１０個のＴＴＩごとに発生され得る）
ＵＥがＰＵＣＣＨ上でＰ−ＳＲＳ送信及びＨＡＲＱ−ＡＣＫ信号送信を多重化するか、それがＰＵＣＣＨ上でＨＡＲＱ−ＡＣＫ信号を送信する時にＰ−ＳＲＳ送信をドロップするか否か。
適用可能な場合、Ｐ−ＳＲＳを送信するためのＵｐＰＴＳシンボルの個数（一つあるいは二つであり得る）。
【００９６】
ＳＲＳ ＢＷ構成に対する第１の方式において、ＵＬフレキシブルＴＴＩは、従来のＵＥからのＰＵＣＣＨやＳＰＳＰＵＳＣＨ送信を含まず、より速いタイムスケールでＴＤＤ ＵＬ−ＤＬ構成適応をサポートするＵＥからの送信を含まないと見なされるために、ＵＬフレキシブルＴＴＩの全てのＵＬ ＢＷがＰＵＳＣＨ送信に対して使用可能であり得る。したがって、Ｐ−ＳＲＳ送信は、各自のＵＬ ＣＳＩを提供するために全てのＵＬ ＢＷにわたって拡張されることができる。また、ＴＤＤ動作時、ＵＬ／ＤＬチャンネルの二重性により、ＳＲＳにより提供される情報は少なくとも部分的に、（可能には、後述される追加情報と共に）ＰＤＳＣＨ送信のリンク適応に対しても使用され得る。すると、例えば、＜表１＞に羅列されたようなＰ−ＳＲＳ送信ＢＷ構成ｃ＝０（又はＵＬ固定ＴＴＩでのＰ−ＳＲＳ送信に対して使用されるものと同一であるか大きな最大ＢＷを有する他のＰ−ＳＲＳ ＢＷ構成）は、ＵＬ固定ＴＴＩに対してＳＩＢによりシグナリングされるＰ−ＳＲＳ送信ＢＷ構成とは関係なく、ＵＬフレキシブルＴＴＩでのＳＲＳ送信のために使用され得る。したがって、ＵＬフレキシブルＴＴＩでのＳＲＳ ＢＷ構成は、それを上位階層シグナリングに含めることによって、ＵＥ１１４に別に通知されるか、システム動作時、特定され得る。
【００９７】
図９は、本開示によって、ＵＬ固定ＴＴＩに対するＵＬフレキシブルＴＴＩでのＳＲＳ ＢＷ構成の適応例を示す。図９に示されたＳＲＳ ＢＷ構成の実施形態は、ただ例示のためのものである。本開示の範囲から逸脱しない他の実施形態が使用されることもできる。
【００９８】
図９に示すように、ＵＬ固定ＴＴＩで、ＳＩＢは、ＳＲＳ ＢＷ構成ｃ＝３９００に対して知らせる。ＰＵＣＣＨ ＲＢは、二つのＵＬ ＢＷエッジ９０２及び９０４に位置する。ＰＵＣＣＨ ＲＢを通したＳＲＳ送信がリンク適応に有益でなく、ＰＵＣＣＨ及びＳＲＳの同一ＲＢを通した同時送信が全てのＰＵＣＣＨタイプに対して普遍的にサポートされることができないために、ＳＲＳ送信は、一般的に、ＰＵＳＣＨ送信に使用され得るＲＢ内に拘束される。したがって、ＰＵＣＣＨサイズ（ＲＢ内の）が大きいほど、最大ＳＲＳ送信ＢＷは小さくなるべきであり、＜表１＞のＳＲＳ ＢＷ構成はそのような機能をサポートする。ＵＥ１１４は、上位階層シグナリングを通して
【００９９】
【数８】
2019176478.tif 000013
【０１００】
個のＲＢ９１２、
【０１０１】
【数９】
2019176478.tif 000014
【０１０２】
個のＲＢ９１４、
【０１０３】
【数１０】
2019176478.tif 000015
【０１０４】
個のＲＢ９１６、又は
【０１０５】
【数１１】
2019176478.tif 000016
【０１０６】
個のＲＢ９１８を用いてＰ−ＳＲＳ送信ＢＷが設定される。いくつかのＲＢ９０６及び９０８は、サウンディング（sounded）されないことがあるが、これは、普通、それぞれのＵＬ ＣＳＩがＳＲＳが送信される隣接するＲＢから補間され得るために、そのようなＲＢを含むＰＵＳＣＨ送信に対するリンク適応を実行するｅＮＢ１０２の能力に影響が及ばない。最大のものでないＳＲＳ ＢＷに対して、ｅＮＢ１０２は、ＵＥ１１４に、上位階層シグナリングを通したＰ−ＳＲＳ送信のために開始周波数位置を割り当てる。ＵＬフレキシブルＴＴＩで、ＳＲＳ ＢＷ構成ｃ＝０ ９２０（又はＳＲＳ ＢＷ構成３より大きな最大ＢＷを有する他のＳＲＳ ＢＷ構成）はデフォルトであるか、従来のＵＥにより解析される必要がない追加的システム情報により指示される。いくつかのＲＢ９２６及び９２８もＳＲＳによりサウンディングされないことがあるが、上述したようにそれの影響を無視可能である。また、後述するが、一部ＰＵＣＣＨ送信は、ＳＲＳが送信されないＲＢを介してサポートされることもできる。ＵＥ１１４は、上位階層シグナリングを通して
【０１０７】
【数１２】
2019176478.tif 000017
【０１０８】
個のＲＢ９３２、
【０１０９】
【数１３】
2019176478.tif 000018
【０１１０】
個のＲＢ９３４、
【０１１１】
【数１４】
2019176478.tif 000019
【０１１２】
個のＲＢ９３６、又は
【０１１３】
【数１５】
2019176478.tif 000020
【０１１４】
個のＲＢ９３８を用いてＳＲＳ送信ＢＷが設定される。
【０１１５】
参照セルのＳＲＳ ＢＷ構成に対する第２の方式において、ＵＬフレキシブルＴＴＩでのＢＷは、ＵＬ送信に使用される第１のＢＷ及びＵＬ送信に使用されない第２のＢＷに分割されることができる。参照セルと異なるＴＤＤ ＵＬ−ＤＬ構成を使用する隣接セルで、ＤＬフレキシブルＴＴＩでのＢＷは、ＤＬ送信に使用されない第１のＢＷ及びＤＬ送信に使用される第２のＢＷに分けられる。このような方式で、参照セルのＵＬ送信は、隣接セルでのＤＬ送信からの干渉を経験しない（その逆も同一）。このような第１のＢＷは、上位階層シグナリングを通してＵＥ１１４に通知されることができ、あるいは通信システムの動作時、特定され得る。
【０１１６】
第２の方式において、各自のＵＬ ＣＳＩを提供するために、Ｐ−ＳＲＳ送信は、ＵＬ送信に割り当てられた第１のＢＷを介して（部分的又は完全に）拡張されることができる。各自のＳＲＳ ＢＷ構成は、＜表１＞のものから追従できるが、各自の最大ＳＲＳ ＢＷは、第１のＢＷより大きな場合、サポートされないことがある。ＵＥ１１４が上記ＳＲＳ送信パラメータを適用するフレキシブルＴＴＩは、ＴＤＤ ＵＬ−ＤＬ構成の適応を実行するＤＬシグナリングを通してＵＥ１１４に指示されるか、フレキシブルＴＴＩでＰＤＳＣＨ又はＰＵＳＣＨをスケジューリングするＤＣＩフォーマットにより明示的又は黙示的に指示され得る。例えば、明示的指示は、ＵＥ１１４がフレキシブルＴＴＩでＰＵＳＣＨやＳＲＳ送信に対して第１のパラメータ集合を使用するか、第２のパラメータ集合を使用するかを示すＴＤＤ ＵＬ−ＤＬ構成の適応に対して設定されたＵＥに対するＤＣＩフォーマット内に情報要素（ＩＥ）を含むことによってなされることができる。黙示的指示は、既存のＩＥの特定状態を使用する明示的なものと類似したものであり得る。
【０１１７】
これとは異なり、第２の方式を用いて、最大ＳＲＳ ＢＷがＰＤＳＣＨ送信のための最後のＴＴＩシンボルをパンクチャーリングすることにより依然としてサポートできる。ＴＤＤのチャンネル二重性により、それはｅＮＢ１０２がＤＬに対しても所定のチャンネル情報を獲得するようにすることができる。
【０１１８】
図１０は、本開示によって、ＵＬ ＢＷがＵＬ固定ＴＴＩのＵＬ ＢＷの一部である場合、ＵＬフレキシブルＴＴＩでのＳＲＳ ＢＷ構成の適応例を示す。図１０に示されたＳＲＳ ＢＷ構成の実施形態は、ただ例示のためのものである。本開示の範囲から逸脱しない他の実施形態が使用されることもできる。
【０１１９】
図１０に示すように、総ＵＬ ＢＷは、１００個のＲＢで構成され、５０個のＲＢで構成される第１のＵＬ ＢＷ１０１０及び５０個のＲＢで構成される第２のＢＷ１０１５に分けられる。ＵＥ１１４からのＵＬ送信は、第１のＢＷのみで発生する。その次に、＜表１＞からＳＲＳ ＢＷ構成が決定されることができ、第１のＵＬ ＢＷと同一であるか小さな最大ＳＲＳ送信ＢＷをサポートできる。例えば、ＳＲＳ ＢＷ構成ｃ＝７は
【０１２０】
【数１６】
2019176478.tif 000021
【０１２１】
個のＲＢ１０２２、
【０１２２】
【数１７】
2019176478.tif 000022
【０１２３】
個のＲＢ１０２４、
【０１２４】
【数１８】
2019176478.tif 000023
【０１２５】
個のＲＢ１０２６、又は
【０１２６】
【数１９】
2019176478.tif 000024
【０１２７】
個のＲＢ１０２８をもって使用され得る。
【０１２８】
一部ＲＢ１０３０は、ＳＲＳにより再度サウンディングされないことがある。ＵＬ固定ＴＴＩでのＳＲＳ ＢＷ構成は図９でのように維持される。ＵＬフレキシブルＴＴＩの場合、Ｐ−ＳＲＳ送信ＴＴＩにおいて、ＵＥ１１４のようなＵＥは、ＵＬ固定ＴＴＩに対して各自のものからこのような情報を黙示的に獲得することができ、あるいはこの情報がＵＬフレキシブルＴＴＩでのＰ−ＳＲＳ送信を構成する上位階層シグナリングを通して含まれることもできる。開始ＵＬフレキシブルＴＴＩは、開始ＵＬ固定ＴＴＩ直後のものであるか、フレーム内の第１のＵＬフレキシブルＴＴＩであり得、ＵＬフレキシブルＴＴＩでのＰ−ＳＲＳ送信の周期性は、ＵＬ固定ＴＴＩと同一であるか、より大きいことがある（フレーム当たりＵＬフレキシブルＴＴＩの使用可能性を通して指示されるもののように）。
【０１２９】
例えば、ＴＤＤ ＵＬ−ＤＬ構成２において、ＳＩＢシグナリングがＵＬ固定ＴＴＩ＃２を開始Ｐ−ＳＲＳ送信ＵＬ ＴＴＩ及び５ＵＬ ＴＴＩのＰ−ＳＲＳ送信周期として（ＴＴＩ＃７もＵＬ固定ＴＴＩになることを意味する）示すと、ＵＬフレキシブルＴＴＩでの開始Ｐ−ＳＲＳ送信は、ＵＬ ＴＴＩ＃３にあり得、Ｐ−ＳＲＳ送信をサポートするＵＬフレキシブルＴＴＩの周期は、５ＵＬ ＴＴＩを維持でき、ＵＬフレキシブルＴＴＩ＃８を含むことができる。したがって、ＵＬフレキシブルＴＴＩを含むＴＴＩの第２の集合でのＰ−ＳＲＳ送信周期は、ＵＬ固定ＴＴＩを含むＴＴＩの第１の集合でのＰＳＲＳ送信周期と同一であり得る。ＴＤＤ ＵＬ−ＤＬ構成３において、ＳＩＢシグナリングがＵＬ固定ＴＴＩ＃２を開始Ｐ−ＳＲＳ送信のＵＬ ＴＴＩ及び１０ＵＬ ＴＴＩのＰ−ＳＲＳ送信周期として示すと、ＵＬフレキシブルＴＴＩでの開始Ｐ−ＳＲＳ送信は、ＵＬ ＴＴＩ＃３にあり得、Ｐ−ＳＲＳ送信をサポートするＵＬフレキシブルＴＴＩの周期は、１０ＵＬ ＴＴＩを維持できる。
【０１３０】
ＨＡＲＱ−ＡＣＫシグナリング及びＰ−ＳＲＳの多重化のために、又はＰ−ＳＲＳが送信されるＵｐＰＴＳシンボルの個数に対して、ＵＬ固定ＴＴＩでのＰ−ＳＲＳ送信のためにＳＩＢによりシグナリングされる選択は、ＵＬフレキシブルＴＴＩにも適用される。
【０１３１】
上述したように、ＲＲＣシグナリングが同一の上位階層シグナリングによりＵＥ１１４に通知されるＰ−ＳＲＳ送信パラメータに対して、別個のＲＲＣシグナリングがＵＬ固定ＴＴＩ及びＵＬフレキシブルＴＴＩでのＰ−ＳＲＳ送信に使用され得る。したがって、ＵＬフレキシブルＴＴＩに対するＰ−ＳＲＳ送信ＢＷ、周波数ドメイン位置、送信周期、ホッピング（hopping）ＢＷ、サイクリックシフト（shift）、及び周波数コーム（comb）が（ＵＬ固定ＴＴＩに対するそのようなパラメータを提供する上位階層シグナリングに加えて）別途の上位階層シグナリングを通してＵＥ１１４に提供されることができる。ある可能なＴＤＤ ＵＬ−ＤＬ構成に対する適応がサポートされなければならない場合、Ｐ−ＳＲＳ送信周期は、少なくとも１０ＴＴＩであり得る。
【０１３２】
ＵＬフレキシブルＴＴＩでのＡ−ＳＲＳ送信サポート
【０１３３】
ＵＬフレキシブルＴＴＩでのＰ−ＳＲＳ送信と類似の所定の実施形態において、ＵＬフレキシブルＴＴＩでのＡ−ＳＲＳ送信のためのパラメータが（ＵＬ固定ＴＴＩでのＡ−ＳＲＳ送信と）別途に構成され得る。例えば、ＰＵＳＣＨをスケジューリングするＰＤＣＣＨを通して送信されるＤＣＩフォーマットによりトリガーされるＡ−ＳＲＳ送信にあって、一つ以上の二進要素を含むＡ−ＳＲＳ要請フィールドが送信ＢＷ、周波数ドメイン位置、サイクリックシフト、周波数コーム、及びＵＥ１１４が一つ以上の送信器アンテナを有する場合、それぞれのＵＥ送信器アンテナの個数を含むことができるＡ−ＳＲＳ送信パラメータ（Ａ−ＳＲＳ要請フィールドの一値がいずれのＡ−ＳＲＳ送信も指示しないと仮定する）の一集合又は三集合を示すことができる。一般的に、ｅＮＢは、第１の集合が固定ＴＴＩを含むことができ、第２の集合がフレキシブルＴＴＩを含むことができるＴＴＩの２集合を有してＵＥ１１４を設定できる。
【０１３４】
図１１は、本開示によって、ＵＬ固定ＴＴＩでのＰ−ＳＲＳ又はＡ−ＳＲＳ送信パラメータに対する第１のＵＥ固有上位階層シグナリング及びＵＬフレキシブルＴＴＩでのＰ−ＳＲＳ又はＡ−ＳＲＳ送信のための第２のＵＥ固有上位階層シグナリングの使用例を示す。図１１に示された実施形態は、ただ例示のためのものである。本開示の範囲から逸脱しない他の実施形態が使用されることもできる。
【０１３５】
図１１に示すように、ＵＥ１１４は、第１の上位階層シグナリングを通してＵＬ固定ＴＴＩ１１２０での使用のためのＳＲＳ送信パラメータ１１１０の第１の集合に対して、そして第２の上位階層シグナリングを通してＵＬフレキシブル固定ＴＴＩ１１４０での使用のためのＰ−ＳＲＳ送信パラメータの第２の集合に対して情報を受信する。ＳＲＳ送信パラメータは、Ｐ−ＳＲＳ及びＡ−ＳＲＳに対して相異なることができ、それぞれの送信ＢＷ、開始周波数位置、ＺＣシーケンスのサイクリックシフト、スペクトルコーム、及びＵＥ送信器アンテナの個数（多重アンテナの場合、第１のアンテナに対するものでないＳＲＳ送信パラメータが第１のアンテナに対するものから黙示的に導出される）の中一つ以上を含むことができる。
【０１３６】
Ａ−ＳＲＳ送信に対するＵＬ ＴＴＩの選択
【０１３７】
所定の実施形態において、ＵＥ１１４がＵＥ１１４へのＰＤＳＣＨ送信をスケジューリングするＤＣＩフォーマットのＡ−ＳＲＳ要請を受信する時、Ａ−ＳＲＳ送信のためのＵＬ ＴＴＩの決定が考慮される。ＤＬ ＴＴＩｎでのＰＤＣＣＨによりトリガーされるＡ−ＳＲＳ送信のためのＵＬ ＴＴＩは、n+k,k≧4及び(10・nf+kSRS-Toffset,1)modTSRS,1=0を満足させる第１のＵＬ ＴＴＩとして一般的に決定され、このとき、kSRSはフレームnf内のＴＴＩインデックスであり、Toffset,1はＡ−ＳＲＳ ＴＴＩオフセットであり、TSRS,1はＡ−ＳＲＡ周期である。Ａ−ＳＲＳ送信のためのＵＬ ＴＴＩに対するこのような一般的決定は、ＵＬ固定ＴＴＩ又はＵＬフレキシブルＴＴＩで送信されるＡ−ＳＲＳにつながることができる。
【０１３８】
上の曖昧さを解消するための一つのオプションが適応したＴＤＤ ＵＬ−ＤＬ構成の場合、Ａ−ＳＲＳトリガーをＵＬ固定ＴＴＩ及びＵＬフレキシブルＴＴＩの両方ともでのＡ−ＳＲＳ送信に適用されるものと再解析するものである。また、ＴＤＤ ＵＬ−ＤＬ構成の適応をサポートするＵＥに対して、k≧4に対する上記制約はk≧1に緩和され得る。
【０１３９】
二つのＵＬ ＴＴＩタイプに対するＡ−ＳＲＳ送信と比較して必要オーバーヘッドを減少させるために、Ａ−ＳＲＳ送信のＵＬ ＴＴＩがＵＬ固定ＴＴＩにあるべきか、ＵＬフレキシブルＴＴＩにあるべきかに対するより精巧な制御が要望される場合、ｅＮＢ１０２は、それぞれのＵＬ ＴＴＩタイプと関連した所定ＤＬ ＴＴＩタイプのそれぞれのＰＤＣＣＨ送信に限定され得る。例えば、ＵＬフレキシブルＴＴＩ又はＵＬ固定ＴＴＩでのＡ−ＳＲＳ送信をトリガーすることは、それぞれ、ＤＬフレキシブルＴＴＩ又はＤＬ固定ＴＴＩで送信されるＰＤＳＣＨをスケジューリングするＤＣＩフォーマットと関連することができる。
【０１４０】
一般的に、ある個別ＤＬ ＴＴＩタイプ（固定又はフレキシブル）のＰＤＳＣＨをスケジューリングし、同時にＡ−ＳＲＳ送信のＵＬ ＴＴＩ及び個別ＰＤＣＣＨ送信のＤＬ ＴＴＩをデカップリングすることにより、あるＵＬ ＴＴＩタイプのＡ−ＳＲＳ送信をトリガーするための機能がｅＮＢ１０２に提供されなければならない。
【０１４１】
上記フレキシビリティをＴＤＤシステムの動作のためのｅＮＢ１０２スケジューラに提供する第１のオプションは、ＵＬ ＴＴＩタイプＡ−ＳＲＳ指示子フィールドを含むことによって、Ａ−ＳＲＳ要請フィールドを１ビットだけ拡張するものである。このような追加ビットは、Ａ−ＳＲＳ送信に意図されたＵＬ ＴＴＩが固定的なものであるかフレキシブル的なものであるかを示すことができる。そのような判定は、上述した条件下にあるが、それらが例えばＵＬ固定ＴＴＩを示し、ＵＬ ＴＴＩタイプＡ−ＳＲＳ指示子フィールドがＵＬフレキシブルＴＴＩを示す場合、Ａ−ＳＲＳは、ＵＬ固定ＴＴＩの次に第１のＵＬフレキシブルＴＴＩで送信される。このようなオプションは、ｅＮＢ１０２スケジューラに対する完全なフレキシビリティを提供できるが、Ａ−ＳＲＳ要請フィールドのサイズを効率的に増加させる。上記内容は、ＵＬ ＴＴＩタイプＡ−ＳＲＳ指示子フィールドに対するものであるが、Ａ−ＳＲＳ要請フィールドを１ビットだけ拡張し、Ａ−ＳＲＳ送信パラメータの状態の中一部がＵＬ固定ＴＴＩを含むようにし、残りのものがＵＬフレキシブルＴＴＩを含むようにすることによって同一の機能が達成される。
【０１４２】
図１２は、本開示によるＵＬ ＴＴＩタイプＡ−ＳＲＳ指示子フィールドの使用例を示す。図１２に示されたＵＬ ＴＴＩタイプＡ−ＳＲＳ指示子の実施形態は、但し説明のためのものである。本開示の範囲から逸脱しない他の実施形態が使用されることもできる。
【０１４３】
図１２に示すように、適応したＴＤＤ ＵＬ−ＤＬ構成がＴＤＤ ＵＬ−ＤＬ構成１と仮定する時、ＵＬ ＴＴＩ＃２ １２１０は、ＵＬ固定ＴＴＩであり、ＵＬ ＴＴＩ＃３ １２２０は、ＵＬフレキシブルＴＴＩである。ＵＥ１１４が一般的な条件に従属するＵＬ ＴＴＩ＃２でのＡ−ＳＲＳ送信をトリガーするＤＬ ＴＴＩ＃５ １２３０でのＰＤＣＣＨを検出し、ＵＬ ＴＴＩタイプＡ−ＳＲＳ指示子フィールドがＵＬフレキシブルＴＴＩを示す場合、ＵＥは、ＵＬ ＴＴＩ＃３でＡ−ＳＲＳを送信する。
【０１４４】
追加オーバーヘッドの防止のために、フレキシビリティを相殺させる第２のオプションは、Ａ−ＳＲＳ送信をトリガーするＰＤＣＣＨ検出のＤＬ ＴＴＩタイプをＡ−ＳＲＳ送信のＵＬ ＴＴＩタイプと結付させるものである。Ａ−ＳＲＳ送信をトリガーするＰＤＣＣＨ送信のＤＬ ＴＴＩが固定的又はフレキシブル的である場合、Ａ−ＳＲＳ送信のためのそれぞれのＵＬ ＴＴＩはそれと対応して固定的又はフレキシブル的である。いずれのＵＬフレキシブルＴＴＩも存在しない場合、Ａ−ＳＲＳをトリガーするＰＤＣＣＨに対するＤＬ ＴＴＩタイプと関係なく、Ａ−ＳＲＳは、明確にＵＬ固定ＴＴＩを通して送信される。ＴＤＤ ＵＬ−ＤＬ構成のいかなる適応に対しても、一般的ＴＤＤ ＵＬ−ＤＬ構成のＤＬ ＴＴＩがＵＬ ＴＴＩ聞が変更されることができないために、ＤＬフレキシブルＴＴＩが常に存在するということを知っていなければならない。
【０１４５】
第３のオプションは、既存のＡ−ＳＲＳ要請フィールドの値をそれぞれのＡ−ＳＲＳ送信に対するＵＬ ＴＴＩタイプと結付させるものである。例えば、２ビットを含むＡ−ＳＲＳ要請フィールドにおいて、‘０１’値は、Ａ−ＳＲＳ送信パラメータの第１の一般集合を示し、またＵＬ固定ＴＴＩでのＡＳＲＳ送信を示し、‘１０’値はＡ−ＳＲＳ送信パラメータの第２の一般集合を示し、またＵＬフレキシブルＴＴＩでのＡ−ＳＲＳ送信を示す。
【０１４６】
ＤＬ固定ＴＴＩ及びＤＬフレキシブルＴＴＩのための周期的ＣＳＩフィードバック
【０１４７】
所定の実施形態において、ＤＬフレキシブルＴＴＩのためのＰ−ＣＳＩフィードバックが考慮される。ＵＬ ＣＳＩの提供に加えて、ＴＤＤシステムのＤＬ／ＵＬチャンネル二重性により、ＳＲＳ送信は、ＤＬチャンネルに対するチャンネル推定値を提供することができる。しかしながら、ＴＤＤシステムのＵＬ及びＤＬで干渉条件が相異なるので、ｅＮＢ１０２がＤＬシステムＢＷにわたってＵＥ１１４へのＤＬ信号送信を通して経験されるＳＩＮＲ条件に対する情報を得るために、ＵＥ１１４により別途のＣＳＩフィードバックが必要となる。ＤＬ固定ＴＴＩ及びＤＬフレキシブルＴＴＩでの干渉条件の差異によって、本開示の実施形態は、ＵＥ１１４がＤＬ固定ＴＴＩに対する第１のＣＳＩ及びＤＬフレキシブルＴＴＩに対する第２のＣＳＩを提供するのを考慮する。ＵＥ１１４へのＤＬ送信により経験されるチャンネルは、同一のフレーム内のＤＬ固定ＴＴＩ及びＤＬフレキシブルＴＴＩから実質的に同一であるために、上記内容は機能的に、ＵＥ１１４がＤＬ固定ＴＴＩに対する第１の干渉測定報告（ＩＭＲ）及びＤＬフレキシブルＴＴＩに対する第２のＩＭＲを提供することに該当する（ＤＬチャンネルが知らされると仮定）。第１のＣＳＩ及び第２のＣＳＩが相異なるＴＴＩで獲得されるので、これらは相異なるＺＰ ＣＩＳ−ＲＳ構成に対応し得る（いずれの追加的ＮＺＰ ＣＳＩ−ＲＳ構成も必要ない）。したがって、ＵＥ１１４が一つのＺＰ ＣＳＩ−ＲＳリソース構成と完全に重なるものではないＣＳＩ−ＩＭリソース構成を受信すると期待されないという一般的な制限事項は、これ以上適用されることができない。また、ＤＬ固定ＴＴＩ及びＤＬフレキシブルＴＴＩが一般的に時間的に連続的に発生することを考慮する時、ＣＳＩ−ＩＭリソースは、少なくともＤＬフレキシブルＴＴＩに対する連続的なＤＬ ＴＴＩで構成され得る。Ｐ−ＳＲＳ送信と類似するように、ＵＥ１１４は、ＣＳＩ−ＩＭリソースが第１のＤＬフレキシブルＴＴＩのみで存在すると仮定するか、フレキシブルＴＴＩがＴＤＤ ＵＬ−ＤＬ構成を適応させるシグナリングを通してＤＬフレキシブルＴＴＩとして指示される時、それらが構成されたフレキシブルＴＴＩの集合内のそれぞれのフレキシブルＴＴＩに存在すると仮定することができる。ＵＥ１１４からのＣＳＩは、ＰＵＣＣＨ上のＰ−ＣＳＩ報告を通すか、ＰＵＳＣＨ上のＡ−ＣＳＩ報告を通してｅＮＢ１０２に提供されることができる。
【０１４８】
ＤＬフレキシブルＴＴＩでのＺＰ ＣＳＩ−ＲＳは、ＵＬフレキシブルＴＴＩでのＰ−ＳＲＳと類似するようにサポートされ得る。ＣＳＩ−ＩＭリソース及び関連ＺＰ ＣＳＩ−ＲＳパラメータは、ＲＲＣシグナリングのような上位階層シグナリングを通してＵＥ１１４に対して構成され、ＺＰ ＣＳＩ−ＲＳリソースに対するＺＰ ＣＳＩ−ＲＳパターンインデックス（参照１）、ＺＰ ＣＳＩ−ＲＳ周期、及び一フレーム内のＺＰ ＣＳＩ−ＲＳに対するＤＬ ＴＴＩオフセット（参照３）を含み得る。ｅＮＢ１０２は、別途の上位階層シグナリングを通してフレキシブルＴＴＩで上記ＺＰ ＣＳＩ−ＲＳパラメータを構成できる。これとは異なり、ＵＥ１１４が上記ＺＰ ＣＳＩ−ＲＳパラメータの部分集合が固定ＴＴＩと同一のフレキシブルＴＴＩ内にあり、残りのパラメータ（あれば）は、上位階層シグナリングを通して（ＴＤＤ ＵＬ−ＤＬ構成を適応させる前に）提供されるか、黙示的に導出できると仮定することができる。ＴＴＩオフセットは、ＴＤＤ ＵＬ−ＤＬ構成の適応後、第１のＤＬフレキシブルＴＴＩに対応でき、あるいはＣＳＩ−ＩＭリソースが上位階層シグナリングを通してＵＥ１１４に通知されるＤＬフレキシブルＴＴＩである時、そのフレキシブルＴＴＩに存在できるか、ＣＳＩ−ＩＭリソースが全てのフレキシブルＴＴＩがＤＬフレキシブルＴＴＩである時、そのフレキシブルＴＴＩごとに存在できる。ＵＥ１１４がＵＬ ＴＴＩをＤＬ ＴＴＩにスイッチングするＴＤＤ ＵＬ−ＤＬ構成の適応を検出し、ＵＥ１１４がＤＬ ＴＴＩがＺＰ ＣＳＩ−ＲＳ構成及びそれに従って関連ＣＳＩ−ＩＭリソースを含むと判定すると（上位階層シグナリングを通して明示的に、あるいは上述されたような黙示的な所定規則を通して）、ＵＥ１１４は、個別干渉測定を実行することができる。それぞれの個別干渉測定は、個別ＺＰ ＣＳＩ−ＲＳ送信のＤＬ ＴＴＩ内に限定でき、他のＤＬ ＴＴＩではＺＰ ＣＳＩ−ＲＳリソースを含まないことがある。これがつながる実施形態でさらに論議される。したがって、干渉測定のための別途のＣＳＩ−ＩＭリソースは、ＤＬ固定ＴＴＩ及びＤＬフレキシブルＴＴＩと関連することができ、そのようなそれぞれのＣＳＩ−ＩＭリソースは同じＺＰ ＣＳＩ−ＲＳリソース構成に属する必要がなく、ＵＥ１１４が一つのＺＰ ＣＳＩ−ＲＳリソース構成と皆完全では重ならないＣＳＩ−ＩＭリソース構成を受信することには期待されないという一般的な制限事項は適用されない。
【０１４９】
ＵＬフレキシブルＴＴＩでのＰ−ＳＲＳの送信のための本開示の第１の実施形態の第２の方式と類似するように、ＢＷは、第１のＢＷ及び第２のＢＷに分けられ、ＵＥ１１４は、ＤＬフレキシブルＴＴＩのＤＬ送信が第２のＢＷのみで発生し得ると仮定することができる。その場合、ＵＥ１１４は、第２のＢＷのみでそのようなフレキシブルＴＴＩでのＣＳＩ−ＲＳに基づいて測定を実行することができる。ＵＥ１１４は、上位階層シグナリングを通してｅＮＢ１０２により第１のＢＷ（及びそれに従う第２のＢＷ）に対して情報を受信することができる。
【０１５０】
ＤＬ固定ＴＴＩでの測定のためのＰ−ＣＳＩ報告及びＤＬフレキシブルＴＴＩでの測定のためのＰ−ＣＳＩ報告の多重化のための第１のオプションは、時間ドメイン多重化である。このとき、ｅＮＢ１０２は、ＵＥ１１４に別途の上位階層シグナリングを提供し、ＤＬ固定ＴＴＩ及びＤＬフレキシブルＴＴＩで獲得された測定値を報告するためのＰ−ＣＳＩ送信パラメータを知らせることができる。そのようなパラメータは、Ｐ−ＣＳＩ送信の周期及びＵＬ ＴＴＩ、Ｐ−ＣＳＩ送信のコンテンツ（ＣＱＩのみ、あるいはＣＱＩ及びＰＭＩの両方とも）、及び個別ＰＵＣＣＨフォーマットに対するＰ−ＣＳＩ送信用ＰＵＣＣＨリソースを決定するためのパラメータを含むことができる。上述した２種類Ｐ−ＣＳＩ報告タイプが同一のＵＬ ＴＴＩに送信されなければならない場合、ＵＥ１１４が一つ以上のＰＵＣＣＨを同時に送信する能力がないと、ＵＥ１１４は、一つのＰ−ＣＳＩ報告の送信を優先しなければならなく、他のＰ−ＣＳＩ報告の送信は保留しなければならない。ｅＮＢ１０２がＰ−ＣＳＩ報告の関連性を知らなければならないために、二つのＰ−ＣＳＩ報告タイプが同一のＵＬ ＴＴＩ内で同時に発生する場合、Ｐ−ＣＳＩ報告が送信される規則を適用しなければならない。したがって、ＵＥ１１４が下位ＣＳＩ処理インデックス（そのような多様なプロセスが存在する場合）によって、そしてＤＬセルインデックス（そのような多様なＤＬセルが存在する場合）によってＰ−ＣＳＩ送信を優先化した後、上記で論議されたように（参照３）、本開示の実施形態は、ＵＥ１１４がｅＮＢ１０２からの１ビット上位階層シグナリングを通すか、Ｐ−ＣＳＩ報告インデックス（０又は１）に従う黙示的規則によるか、ＤＬフレキシブルＴＴＩ（又はＤＬ固定ＴＴＩ）に対応するＰ−ＣＳＩ報告に対する送信を常に優先し、以前のＵＬ ＴＴＩでより最近の送信を有するＰ−ＣＳＩ報告を留保するなどの通信システムの動作の固定規則により、Ｐ−ＣＳＩ報告優先順位に対する情報を受ける。
【０１５１】
第１のオプションは、ＴＤＭを使用することによって、ＤＬ固定ＴＴＩに対応するＰ−ＣＳＩ報告及びＤＬフレキシブルＴＴＩを分離する。しかしながら、ＴＤＤ ＵＬ−ＤＬ構成５に対するフレーム当たり一つのＵＬ固定ＴＴＩのようなフレーム当たりＵＬ固定ＴＴＩの使用可能性が低いことがあり、それによってＤＬフレキシブルＴＴＩに対応するＰ−ＣＳＩ報告のようなＵＬ ＴＴＩで送信されなければならないＤＬ固定ＴＴＩに対応するＰ−ＣＳＩ報告を避けるために、それぞれのＰ−ＣＳＩ報告ごとに長い周期を必要とする。ＵＥ１１４により経験されるチャンネルが実質的に固定されないと、長いＰ−ＣＳＩ報告周期はＤＬシステム処理率に有害であり得る。
【０１５２】
ＤＬ固定ＴＴＩでの測定のためのＰ−ＣＳＩ報告及びＤＬフレキシブルＴＴＩでの測定のためのＰ−ＣＳＩ報告の多重化のための第２のオプションは、同一のＰＵＣＣＨでの共同符号化によるものである。これはデフォルト選択であるか、上位階層シグナリングを通してＵＥ１１４に指示され得る。ＰＵＣＣＨフォーマットがＣＱＩ及びＰＭＩの両方ともを報告することから始まった二つのＰ−ＣＳＩ報告タイプに対する最大ペイロードをサポートできないとしても、ｅＮＢ１０２がＵＥ１１４から送信されたＳＲＳからＰＭＩを獲得し、Ｐ−ＣＳＩ報告がそのペイロードを追加で減少させるために送信ランク１に対してのみさらに限定され得るＣＱＩのみを伝達する場合、そのような最大ペイロードが防止できる。また二つのＰ−ＣＳＩタイプを報告する第１のＵＥ１１４は、第１のＰ−ＣＳＩタイプを報告する第２の一般ＵＥ１１５とは異なる送信フォーマットを使用することができる。例えば、第１のＵＥ１１４は、より高いＰ−ＣＳＩペイロードをサポートし、ＰＵＣＣＨフォーマット３と呼ばれるフォーマットを使用することができ、第２のＵＥ１１５は、より低いＰ−ＣＳＩペイロードをサポートし、ＰＵＣＣＨフォーマット２と呼ばれるフォーマットを使用することができる。したがって、一般的なＵＥは、常にＰＵＣＣＨフォーマット２を用いて一つのＰ−ＣＳＩを送信し、ＴＤＤ ＵＬ−ＤＬ構成の適応をサポートするＵＥ１１４は、ｅＮＢ１０２によりＤＬ固定ＴＴＩでの測定に対するＰ−ＣＳＩ報告及びＤＬフレキシブルＴＴＩでの報告に対するＰ−ＣＳＩ報告の両方ともを同一のＰＵＣＣＨフォーマット２で送信するか、同一のＰＵＣＣＨフォーマット３で送信するかに対して設定されることができる。
【０１５３】
Ｐ−ＳＲＳ送信と類似するように、Ｐ−ＣＳＩは、ＵＬフレキシブルＴＴＩ内で送信されることができ、ＵＥ１１４は、ｅＮＢ１０２からの上位階層シグナリングを通して（ＵＬ固定ＴＴＩでのＰ−ＣＳＩ送信に対するパラメータの第１の集合に加えて）ＵＬフレキシブルＴＴＩでのＰ−ＣＳＩ送信に対するパラメータの第２の集合の提供を受けることができる。Ｐ−ＣＳＩ及びＰ−ＳＲＳ送信がｅＮＢ１０２により相異なるＵＬ ＴＴＩ内で発生するように構成され得るために同時に発生するように許可されない従来のＰ−ＣＳＩ及びＰ−ＳＲＳ送信とは異なり、そのような配列は、ＤＬフレキシブルＴＴＩでの測定に対するＰ−ＣＳＩ報告に対しては可能ではないが、これはＴＤＤ ＵＬ−ＤＬ構成の適応率が特にフレーム当たりＵＬ ＴＴＩの個数が少ない時、そのような同時送信を避けるほど十分に長くないはずであるためである。したがって、本発明は従来のＵＥとは異なり、ＴＤＤ ＵＬ−ＤＬ構成の適応をサポートするＵＥがＰ−ＳＲＳを送信するために個別ＰＵＣＣＨの最後のＴＴＩシンボルでＰ−ＣＳＩ送信をパンクチャーリングすることにより、同時的Ｐ−ＣＳＩ及びＰ−ＳＲＳ送信をまたサポートできると見なす。
【０１５４】
ＤＬ固定ＴＴＩ及びＤＬフレキシブルＴＴＩのための非周期的ＣＳＩフィードバック
【０１５５】
所定の実施形態において、ＤＬフレキシブルＴＴＩのためのＡ−ＣＳＩフィードバックが考慮される。高速時間スケール上でＴＤＤ ＵＬ−ＤＬ構成の適応をサポートするＵＥ１１４によるＡ−ＣＳＩ報告において、ＤＬ固定ＴＴＩ及びＤＬフレキシブルＴＴＩでのそれぞれの測定を通して計算された相異なるＡ−ＣＳＩ報告タイプの存在を勘案する時、ＵＥ１１４の様態は、それがＵＥ１１４が自身のスケジューリングされたＰＵＳＣＨ送信を通してＡ−ＣＳＩ報告を含まなければならないということを示すＡ−ＣＳＩ要請フィールドを含むＤＣＩフォーマットを伝達するＰＤＣＣＨを検出する時、追加で定義されなければならない。
【０１５６】
第１のオプションで、本開示の実施形態は、ＣＳＩ要請フィールドが１ビットを含む場合、二進値‘０’は、ＵＥ１１４がＰＵＳＣＨ送信を通したいずれのＡ−ＣＳＩ報告も多重化しないことを示し、‘１’は、ＵＥ１１４がＤＬ固定ＴＴＩでの計測に対するＡ−ＣＳＩ報告及びＤＬフレキシブルＴＴＩでの計測に対するＡ−ＣＳＩ報告の両方を多重化することを示すと見なす。
【０１５７】
ＵＥ１１４からのＰＵＳＣＨ送信をスケジューリングするＤＣＩフォーマットが２ビットを含むＡ−ＣＳＩ要請フィールドを有すると、これはＰＵＳＣＨ送信で多重化のためのＡ−ＣＳＩ報告タイプを選択する時、追加フレキシビリティを提供でき、ｅＮＢ１０２に必要な時、個別Ａ−ＣＳＩオーバーヘッドを制御するための手段を提供できる。＜表４＞は、Ａ−ＣＳＩ報告タイプのトリガーに対するＡ−ＣＳＩ要請フィールドの指示的マッピングを提供する。
【０１５８】
【表４】
2019176478.tif 000025
【０１５９】
Ａ−ＣＳＩタイプを示すためのサポートは、ＤＬキャリアアグリゲーション（ＣＡ）又はＤＬＣｏＭＰ（Coordinated Multi-Point）送信が適応的ＴＤＤ ＵＬ−ＤＬ構成と共にサポートされる場合、追加で拡張され得る。例えば、ＤＬ ＣＡをまたサポートする場合、Ａ−ＣＳＩ要請フィールドは、＜表５＞でのような指示的マッピングと共に３ビットを含むことができる。
【０１６０】
【表５】
2019176478.tif 000026
【０１６１】
Ａ−ＣＳＩタイプを示すためのサポートは、特定ＤＬフレキシブルＴＴＩに対する個別測定報告を示すようにさらに拡張され得る。特定ＤＬフレキシブルＴＴＩに対する同一の対応関係がＰ−ＣＳＩ報告に対して定義され得る。ＤＬフレキシブルＴＴＩ間を区別しようという理由は、相異なるＤＬフレキシブルＴＴＩに対するそれぞれの干渉が相異なることがあるからである。これとは異なり、ＵＥ１１４が次の実施形態で記述するようにＣＳＩ測定を実行する方式を決定できる。
【０１６２】
図１３は、本開示による相異なるフレキシブルＴＴＩでの相異なる干渉特性の存在の例を示す。図１３に示されたＴＴＩの実施形態は、但し説明のためのものである。本開示の範囲から逸脱しない他の実施形態が使用されることもできる。
【０１６３】
図１３に示すように、ＴＤＤ ＵＬ−ＤＬ構成１は、参照セル＃１ １３１０で使用され、ＴＤＤ ＵＬ−ＤＬ構成２は、参照セル＃２ １３２０で使用され、ＴＤＤ ＵＬ−ＤＬ構成３は、参照セル＃３ １３３０で使用される。セル＃１ １３４０、セル＃２ １３５０、及びセルｌ＃３ １３６０でのＤＬ ＴＴＩ＃０（又はＤＬ ＴＴＩ＃０、ＤＬ ＴＴＩ＃５、ＤＬ ＴＴＩ＃６、及びＤＬ ＴＴＩ＃９）で、ＤＬ送信により経験される干渉は実質的に同一である。ＴＴＩ＃３で、セル＃２ １３５２の干渉は、セル＃１ １３４２及びセル＃３ １３６２の両方からのＵＬ送信から生成される。したがって、ＴＴＩ＃３で、セル＃１又はセル＃３に向けて位置したセル＃２内のＵＥ１１４へのＰＤＳＣＨ送信は、ＵＬ送信から干渉を経験する。ＴＴＩ＃４で、セル＃２ １３５４の干渉は、セル＃１ １３４４のＤＬ送信から生成され、セル＃３ １３６４のＵＬ送信からは生成されない。したがって、ＴＴＩ＃４で、セル＃１に向けて位置したセル＃２にあるＵＥ１１４へのＰＤＳＣＨ送信は、ＤＬ送信から干渉を経験し、セル＃３に向けて位置したセル＃２内のＵＥ１１４へのＰＤＳＣＨ送信は、ＵＬ送信から干渉を経験する。最後に、ＴＴＩ＃８で、セル＃２ １３５６の干渉は、セル＃１ １３４６のＵＬ送信から生成され、セル＃３ １３６６のＤＬ送信からは生成されない。したがって、ＴＴＩ＃８で、セル＃１に向けて位置したセル＃２にあるＵＥ１１４へのＰＤＳＣＨ送信は、ＵＬ送信から干渉を経験し、セル＃３に向けて位置したセル＃２内のＵＥ１１４へのＰＤＳＣＨ送信は、ＤＬ送信から干渉を経験する。結論的に、２種類のＤＬ ＴＴＩタイプ（ＤＬ固定ＴＴＩ及びＤＬフレキシブルＴＴＩ）間では、干渉変動だけでなく相異なるＤＬフレキシブルＴＴＩでの干渉変動が存在する。
【０１６４】
ＤＬフレキシブルＴＴＩのインデックスに対するそのような干渉依存性を克服するための一方式で、対応するＤＬ ＴＴＩに対してのみＣＳＩ−ＩＭリソースを使用する測定に基づくそれぞれのＰ−ＣＳＩ及びＡ−ＣＳＩ報告プロセスがサポートされ得る。Ｐ−ＣＳＩに対して、それぞれの報告は、上述した、ＤＬ固定ＴＴＩ及びＤＬフレキシブルＴＴＩに対するＰ−ＣＳＩをサポートする方法に基づいてサポートされ得る。
【０１６５】
Ａ−ＣＳＩサポートに対して、ＰＤＳＣＨをスケジューリングするＤＣＩフォーマットによりトリガーされる時、Ａ−ＳＲＳ報告に対するものと同一のオプションが存在する。それによって、第１のオプションで、Ａ−ＣＳＩ報告がトリガーされると、それぞれのＤＬフレキシブルＴＴＩに対する全てのＡ−ＣＳＩ報告が同一のＰＵＳＣＨに含まれることができる。第２のオプションで、Ａ−ＣＳＩ報告をトリガーするＰＤＣＣＨ送信のＤＬ ＴＴＩが固定的又はフレキシブル的である場合、Ａ−ＣＳＩ報告のためのそれぞれのＤＬ ＴＴＩはそれと対応して固定的又はフレキシブル的である。第３のオプションで、Ａ−ＣＳＩ報告フィールドは、それぞれのＡＣＳＩ報告がＰＵＳＣＨに含まれるべきであるというインデックスを固有ＤＬ ＴＴＩに提供するために追加で拡張されることができる。
【０１６６】
また、ＵＥ１１４からｅＮＢ１０２へのＰＵＳＣＨ送信を通したＡ−ＣＳＩ報告のために、（ＵＥからｅＮＢへのＡ−ＳＲＳ送信をトリガーするために適用され得る原理下にある以前のものに対する）追加オプションは、ＰＵＳＣＨをスケジューリングし、Ａ−ＣＳＩ報告（参照２）をトリガーするＤＣＩフォーマットに存在するサイクリックシフト（ＣＳ）及び直交カバーリングコード（ＯＣＣ）フィールド（ＣＳ−ＯＣＣフィールド）に基づける。相異なるＵＥからのＰＵＳＣＨ送信、及びＰＵＳＣＨ受信に従うｅＮＢ１０２からの確認信号送信（参照１及び参照３）のためのリソースの空間的多重化を容易にするために、ＣＳ−ＯＣＣフィールドは、ＵＥ１１４に、ＰＵＳＣＨでのＤＭＲＳ送信に適用するＣＳ及びＯＣＣに対して知らせる。ＣＳ−ＯＣＣフィールドは３ビットを含むと推定される。適応的ＴＤＤ ＵＬ−ＤＬ構成を有して動作する通信システムは、セル内の総トラフィックの速い変動に適応するようになっている。統計的に、セル内のアクティブ通信をするＵＥの数が少ないほど、セル内の総トラフィックの変動は大きくなる。したがって、適応的ＴＤＤ ＵＬ−ＤＬ構成を通した動作は、セル内のアクティブ通信をする一般的に少ない数のＵＥと関連し、ＣＳ−ＯＣＣフィールドは、２ビットのように３ビット未満で意図的機能を提供できる。このとき、１ビット又は２ビットを含むＣＳＩ要請フィールドを補充し、上記で記述されたように２ビット又は３ビットを含むＣＳＩ要請フィールドを各々提供する追加ビットが使用され得る。例えば、ＣＳ−ＯＣＣフィールドの最上位ビット（ＭＳＢ）は、ＣＳＩ要請フィールドのＭＳＢとしてＣＳＩ要請フィールドを補充できる。例えば、３ビットＣＳ−ＯＣＣフィールドによりアドレス可能な８個のＣＳ−ＯＣＣ状態の中、４種類ＣＳ−ＯＣＣ状態が２ビットＣＳ−ＯＣＣフィールドに再マッピングされ得る。
【０１６７】
ＤＬ送信のリンク適応のためのＳＲＳ使用
【０１６８】
この実施形態で、ｅＮＢ１０２は、ＵＥ１１４へのＤＬ送信のためのリンク適応を実行するためにＵＥから送信されたＳＲＳの受信を使用できる。ＴＤＤシステムで、チャンネル媒体は、同一のキャリア周波数が使用されるためにＤＬ送信及びＵＬ送信に対して同一である。セル内のＤＬ送信に対する干渉が隣接セルのＤＬ送信から生成される従来のＴＤＤシステムで、一般的に同一のＴＤＤ ＵＬ−ＤＬ構成が仮定されるので、ＵＥ１１４は、ｅＮＢ１０２にＣＳＩフィードバックを提供しなければならないが、これはＳＲＳ送信がチャンネル媒体に対する情報を提供し、ｅＮＢ１０２からＵＥ１１４までのＤＬ送信により経験される干渉に対する情報は提供できないためであるが、そのような干渉は、一般的にＵＥ１１４からｅＮＢ１０２へのＵＬ送信により経験される干渉と非常に違うためである。
【０１６９】
適応的ＴＤＤ ＵＬ−ＤＬ構成で動作するＴＤＤシステムで、ＵＬ ＴＴＩの２集合が存在し、ＵＬ ＴＴＩの第１の集合ではＵｌ干渉が支配的であり、ＵＬ ＴＴＩの第２の集合ではＤＬ干渉が支配的である。また、ＤＬ ＴＴＩの２集合が存在し、ＤＬ ＴＴＩの第１の集合ではＤＬ干渉が支配的であり、ＤＬ ＴＴＩの第２の集合ではＵＬ干渉が支配的である。
【０１７０】
したがって、以前のＴＴＩの２集合が存在する時、ＵＬ ＴＴＩの第１の集合でのＳＲＳ送信は、ＤＬ ＴＴＩの第２の集合に対するＤＬリンク適応のために使用され得るが、これは特にＵＥ１１４が一般的に一つの支配的干渉を経験するためにＵＬ ＴＴＩの第１の集合及びＤＬ ＴＴＩの第２の集合は、同一のＵＬ干渉を経験するためである。同様に、ＵＬ ＴＴＩの第２の集合でのＳＲＳ送信は、ＤＬ ＴＴＩの第１の集合に対するＤＬリンク適応のために使用され得るが、これは一つの支配的干渉に対して、ＵＬＴＩの第２の集合及びＵＬ ＴＴＩの第１の集合は、同一のＵＬ干渉を経験するためである。
【０１７１】
ＤＬ送信に対するＣＳＩを得るためにＳＲＳ送信を使用することは、上記で記述されたように、以下の事項を含む多様な理由で、ＵＥからのＣＳＩフィードバックに依存することよりシステム動作において有利であり得る：
ＳＲＳ送信は、量子化エラーに従属しない；
ＳＲＳ送信は、検出（デコーディング）エラーに従属しない；
ＳＲＳ送信は、実質的に全体帯域幅にわたってＣＳＩを提供でき、ＵＥ１１４からのＣＳＩフィードバックは、全体帯域幅にわたって平均情報のみを提供するか、全体帯域幅の中、一部下位帯域に対してのみ情報を提供する；
ＳＲＳ送信は、一般的にＣＳＩ送信よりかなり少ないＵＬオーバーヘッドを要する。
【０１７２】
図１４は、本開示によって、ＵＬ ＴＴＩの第２の集合内のＵＥ１１４からのＳＲＳ送信を使用したＤＬ ＴＴＩの第１の集合内のＤＬ ＣＳＩのｅＮＢ１０２による決定例を示す図である。このフローチャートは、一連の順次的なステップを示しているが、明示的に言及されない限り、そのようなシーケンスから実行、ステップやその一部の連続的な実行順序について同時発生的であるか、重複的な方式、介在又は中間ステップの発生なしに説明された連続実行ではないいかなる推論も導出されてはならない。説明された例に図示されたプロセスは、例えば、移動局内の送信器チェーンにより具現される。
【０１７３】
図１４に示すように、ＵＥ１１４は、ＵＬ ＴＴＩの第１の集合から一つのＵＬ ＴＴＩ内でＳＲＳを送信し、ここで、ＵＥ１１４からのＵＬ送信は、動作１４１０で支配的なＵＬ干渉を経験する。動作１４２０で、ｅＮＢ１０２は、ＵＥ１１４からＳＲＳ送信を受信し、受信されたＳＲＳに基づいてｅＮＢ１０２は、ＤＬ ＴＴＩの第２の集合に対するＣＳＩを算出し、このとき、ＵＥ１１４へのＤＬ送信は、動作１４２５で支配的なＵＬ干渉を経験する。これとは異なり、ＵＥ１１４は、ＵＬ ＴＴＩの第２の集合から一つのＵＬ ＴＴＩ内でＳＲＳを送信し、ここで、ＵＥ１１４からのＵＬ送信は、動作１４３０で支配的なＤＬ干渉を経験する。動作１４４０で、ｅＮＢ１０２は、ＵＥ１１４からＳＲＳ送信を受信し、受信されたＳＲＳに基づいてｅＮＢ１０２はＤＬ ＴＴＩの第１の集合に対するＣＳＩを算出し、このときＵＥ１１４へのＤＬ送信は、動作１４４５で支配的なＤＬ干渉を経験する。
【０１７４】
図１５は、本開示によって、ＵＥからのＳＲＳ送信に基づいてＴＴＩ集合内のＤＬ ＣＳＩを推定するためのｅＮＢ受信器の例を示す。図１５に示された受信器１５００の実施形態は、但し説明のためのものである。本開示の範囲から逸脱しない他の実施形態が使用されることもできる。所定の実施形態において、図１５に示されたｅＮＢ受信器１５００は、ｅＮＢ１０２内で具現される。
【０１７５】
図１５に示すように、ｅＮＢ１０２は、ＵＬ ＴＴＩの第１の集合からの一つのＵＬ ＴＴＩでＵＥ１１４から送信されたＳＲＳを受信し、ここで、ＳＲＳは、ＵＬ干渉１５１０を経験する。フィルタリング１５２０及びＣＰ除去１５２５後、直列−並列（Ｓ／Ｐ）変換器Ｉ１５３０に出力が提供され、次にＩＦＦＴが実行され（１５４０）、受信帯域幅制御ユニット１５５０は、ＳＲＳ受信のＲＥを選択する（１５５５）。ＵＥ１１５がＳＲＳを送信するために使用したＺａｄｏｆｆ−Ｃｈｕベースのシーケンス１５６５を通した要素別多重化１５６０がつながり、出力がＩＤＦＴ１５７０に提供され、ＳＲＳ送信１５８５に適用されるサイクリックシフトを復旧した後、ＤＦＴが実行され（１５８０）、ＤＬ信号送信がＵＬ干渉を経験するＤＬ ＴＴＩの第２の集合のＤＬ ＴＴＩでのＤＬ信号送信のＣＳＩ推定値が獲得される（１５９０）。同一の受信器構造がＤＬ ＴＴＩの第１の集合内の一つのＤＬ ＴＴＩでのＤＬ信号送信に対するＣＳＩ推定値を獲得するのに使用されることができ、このときＤＬ信号送信は、ＳＲＳがＤＬ干渉を経験するＵＬ ＴＴＩの第２の集合からの一つのＵＬ ＴＴＩでＵＥ１１４から送信されたＳＲＳの受信に基づいてＤＬ干渉を経験する。
【０１７６】
またｅＮＢ１０２は、ＤＬ ＴＴＩの第１の集合やＤＬ ＴＴＩの第２の集合に対するＤＬ ＣＳＩを算出するために、ＵＥ１１４からのＣＳＩフィードバックと共にＳＲＳ送信を使用できる。例えば、ｅＮＢ１０２は上記で記述されたように、ＤＬ ＴＴＩの第１の集合に対するＣＳＩを算出するためにＤＬ ＴＴＩの第１の集合に対するＵＥ１１４からのＣＳＩフィードバックと共に、ＵＬ ＴＴＩの第２の集合でＵＥ１１４からのＳＲＳ送信を使用することができる。同様に、ｅＮＢ１０２は、上記で記述されたように、ＤＬ ＴＴＩの第２の集合に対するＣＳＩを算出するためにＤＬ ＴＴＩの第２の集合に対するＵＥ１１４からのＣＳＩフィードバックと共に、ＵＬ ＴＴＩの第１の集合でＵＥ１１４からのＳＲＳ送信を使用することができる。
【０１７７】
ＵＥ  ＣＳＩ測定
【０１７８】
所定の実施形態において、ＵＥ１１４がＤＬ ＴＴＩを含む集合のようなＤＬ ＴＴＩの第１の集合に対するもの（ここで、ｅＮＢ１０２からＵＥ１１４へのＤＬ送信は、支配的なＤＬ干渉を経験する）と、ＤＬ ＴＴＩを含む集合のようなＤＬ ＴＴＩの第２の集合に対する（ここで、ＵＥ１１４は、支配的なＵＬ干渉を経験する）ＣＳＩを報告するようにする測定手順が記述される。
【０１７９】
第１のＤＬ ＴＴＩ集合及び第２のＤＬ ＴＴＩ集合でＵＥ１１４からのＣＳＩ測定はＣＲＳ又はＣＳＩ−ＲＳに基づける、例えば、ＵＥ１１４がＰＤＳＣＨ受信のために構成された送信モードに依存できる。ＣＳＩ測定は、ＳＩＮＲのような他の数量に対する測定から算出されることができ、ＵＥ１１４受信器機能も考慮することができる。
【０１８０】
ＤＬ ＴＴＩの第１の集合及びＤＬ ＴＴＩの第２の集合がＲＲＣシグナリングのような上位階層シグナリングを通してＵＥ１１４に対して構成され、干渉タイプ（ＤＬ又はＵＬ）がＴＤＤ ＵＬ−ＤＬ構成の個別的な適応によるより速い時間スケール上で可変できるために、第１のＤＬ ＴＴＩ集合や第２のＤＬ ＴＴＩ集合は、ＵＥ１１４がＤＬ支配的干渉又はＵＬ支配的干渉を経験するＤＬ ＴＴＩを含み得る。例えば、第１のＤＬ ＴＴＩ集合は、適応されるＴＤＤ ＵＬ−ＤＬ構成のＤＬサブフレームであり、従来のＴＤＤ ＵＬ−ＤＬ構成のＵＬ ＴＴＩであるＴＴＩのみを含むことができ、第２のＤＬ ＴＴＩ集合は、適応されるＴＤＤ ＵＬ−ＤＬ構成及び従来のＴＤＤ ＵＬ−ＤＬ構成の両方とものＤＬ ＴＴＩであるＴＴＩを含むことができる。この例で、ＤＬ ＴＴＩの第１の集合からの一つのＤＬ ＴＴＩでのＤＬ信号送信は、ＵＬ支配的であるかＤＬ支配的な干渉を経験することができ、ＤＬ ＴＴＩの第２の集合からの一つのＤＬ ＴＴＩでのＤＬ信号送信は、一般的に、干渉するセルが同一な従来の構成を使用すると推定されるが、相異なる各自の適応したＴＤＤ ＵＬ−ＴＬ構成を使用することができる場合、ＤＬ支配的な干渉のみを経験することができる。
【０１８１】
一般的に、適切なＤＬスケジューリングのために、ＵＥ１１４がＤＬ支配的干渉及びＵＬ支配的干渉の両方ともを経験するＤＬ ＴＴＩにわたって同一のＣＳＩを測定するのを避けることが望ましい。その代わりに、ＵＥ１１４は、ｅＮＢ１０２からのＤＬシグナリング送信に対して、特にｅＮＢ１０２がＵＥ１１４がそれぞれの支配的干渉タイプ（ＤＬ又はＵＬ）を経験するＤＬ ＴＴＩを知っている場合、ＤＬ支配的な干渉のみをキャプチャーする第１のＣＳＩ及びＵＬ支配的な干渉のみをキャプチャーする第２のＣＳＩを提供することが望ましい。
【０１８２】
例えば、図１３を参照すると、セル＃２（ＴＤＤ ＵＬ−ＤＬ構成２を使用する）に位置し、セル＃３（ＴＤＤ ＵＬ−ＤＬ構成３を使用する）からの干渉を経験するＵＥ１１４は、ｅＮＢ１０２によりＵＥ１１４によるＣＳＩ報告のために同一の集合のＴＴＩにあるように構成されるＴＴＩ＃３、ＴＴＩ＃４、及びＴＴＩ＃８を有することができる。ＴＴＩ＃３又はＴＴＩ＃４でのＵＥ１１４へのＤＬ送信は、ＵＬ支配的干渉を経験し、ＴＴＩ＃８でのＵＥ１１４へのＤＬ送信は、ＤＬ支配的干渉を経験する。その結果、ＴＴＩ＃３又はＴＴＩ＃４でＵＥ１１４によるＳＩＮＲ測定（ＣＲＳ又はＣＳＩ−ＲＳに基づく）は、ＴＴＩ＃８でのＵＥ１１４によるＳＩＮＲ測定よりも大きい可能性があるが、これは、ＵＬ干渉が一般的にＤＬ干渉よりも少ないためである。したがって、ｅＮＢ１０２が、ＵＥ１１４がＴＴＩで経験する支配的干渉のタイプ（ＤＬ又はＵＬ）を知っていると、ＵＥ１１４が個別ＴＴＩ集合に対するＣＳＩを導出するとき、ＴＴＩ＃３又はＴＴＩ＃４での測定だけを含む（含み、ＴＴＩ＃８の測定は含まないことが）ことが望ましい。そうでなくて、例えば、ＵＥ１１４がＴＴＩ＃３、ＴＴＩ＃４、及びＴＴＩ＃８での測定値の平均のように、フィルタリングされた測定値に基づいてＣＳＩを導出した場合、ＣＳＩはＴＴＩ＃３及びＴＴＩ＃４に対してペシミスティックな可能性が大きい。このとき、ｅＮＢ１０２は、ＴＴＩ＃３及びＴＴＩ＃４に対してそのようなペシミスティックなＣＳＩ報告を認知できないと、それはＴＴＩ＃３やＴＴＩ＃４でＵＥ１１４へのＤＬ送信のリンク適応に対して適合したＣＳＩを決定できない。逆に、ＴＴＩ＃０、ＴＴＩ＃１、ＴＴＩ＃５、ＴＴＩ＃６、及びＴＴＩ＃９が同一の集合のＴＴＩ内にある場合、ＳＩＮＲ測定はそのような全てのＴＴＩでＤＬ支配的な干渉を経験し、ＵＥ１１４は、ＴＴＩの集合内の全てのＴＴＩでのフィルタリングされた測定に基づくか、ＴＴＩの集合内のあるＴＴＩでのフィルタリングされた測定に基づいてＣＳＩを導出することができる。
【０１８３】
ＵＥ１１４がＤＬ支配的干渉を有したＴＴＩに対応するＣＳＩに対する決定をＵＬ支配的干渉を有したＴＴＩに対応するＣＳＩに対する決定と分離させるために、本開示の実施形態は、ＵＥ１１４が、第１のＣＳＩや第２のＣＳＩを導出するために算出する測定値に対するフィルタリングされた平均で獲得した測定値を含めるか含めないかを決定するための臨界値を使用すると見なす。例えば、ＤＬ支配的干渉をキャプチャーする第１のＣＳＩを導出するために、ＵＥ１１４は、フィルタリングされた平均で第１の臨界値下の測定値のみを含むことができ、ＵＬ支配的干渉をキャプチャーする第２のＣＳＩを算出するためにＵＥ１１４は、フィルタリングされた平均で第２の臨界値下の測定値のみを含むことができる。例えば、第１の臨界値及び第２の臨界値は同一であり得る。例えば、第１の臨界値及び第２の臨界値は、ＵＥ１１４によりそれぞれのＤＬ ＴＴＩにわたった第１の個数の最小測定値及び第１の個数の最大測定値の平均として算出され得る。
【０１８４】
図１６は、本開示によって、ＵＥがＤＬ ＴＴＩの第１の集合から第１のＣＳＩを決定するか、ＤＬ ＴＴＩの第２の集合から第２のＣＳＩを決定する例を示す。図１６に示されたＴＴＩの実施形態は、但し説明のためのものである。本開示の範囲から逸脱しない他の実施形態が使用されることもできる。
【０１８５】
図１６に示すように、ＵＥ１１４は、ＴＤＤ ＵＬ−ＤＬ構成２ １６１０で動作する。ＵＥ１１４は、第１のＣＳＩに対応する測定のためにＴＴＩ＃０ １６２０、ＴＴＩ＃１ １６２２、ＴＴＩ＃５ １６２４、ＴＴＩ＃６ １６２６、及びＴＴＩ＃９ １６２８を含むＴＴＩ（サブフレーム）の第１の集合で設定される。ＵＥ１１４は、また第２のＣＳＩに対応する測定のために、ＴＴＩ＃３ １６３０、ＴＴＩ＃４ １６３２、ＴＴＩ＃８ １６３４を含むＴＴＩの第２の集合でも設定される。ＴＴＩ＃７も第２の集合のような集合の中一つに含み得るが、ＴＤＤ ＵＬ−ＤＬ構成２において、それはＵＬ ＴＴＩであり、それによってＣＳＩ測定に使用されることができない。例えば、測定は（ＣＲＳを含むＤＬ ＴＴＩでの）ＣＲＳに基づくＳＩＮＲ測定であり得る。ＵＥ１１４は、第１の集合のＴＴＩ内のそれぞれのＤＬ ＴＴＩでの測定値を臨界値１６４０と比較する。その測定値が臨界値以上であれば、ＤＬ ＴＴＩは、第１のＣＳＩの算出のために考慮されなく、そうでない場合、ＤＬ ＴＴＩは、第１のＣＳＩの算出に考慮され得る。ＵＥ１１４は、第２の集合のＴＴＩ内のそれぞれのＤＬ ＴＴＩでの測定値を臨界値１６４０と比較する。その測定値が臨界値未満であれば、ＤＬ ＴＴＩは、第２のＣＳＩの算出のために考慮されなく、そうでない場合、ＤＬ ＴＴＩは、第２のＣＳＩの算出に考慮され得る。したがって、ＴＴＩ＃０ １６５０、ＴＴＩ＃１ １６５２、ＴＴＩ＃５ １６５４、ＴＴＩ＃６ １６５６、及びＴＴＩ＃９ １６５８での測定に基づいて、ＵＥ１１４は、このような最初４個のＴＴＩを第１のＣＳＩの算出に対して考慮することができるが、ＴＴＩ＃９は考慮しない。ＴＴＩ＃３ １６６０、ＴＴＩ＃４ １６５２、及びＴＴＩ＃８ １６６４での測定に基づいて、ＵＥ１１４は、このような最初２個のＴＴＩを第２のＣＳＩの算出に対して考慮することができるがＴＴＩ＃８は考慮しない。一つのオプションで、ＴＴＩ＃９及びＴＴＩ＃８はいずれのＣＳＩ算出に対しても無視され得る。他のオプションで、それぞれ第１のＤＬ ＴＴＩ集合及び第２のＤＬ ＴＴＩ集合と関連しているにもかかわらず、ＴＴＩ＃９は、第２のＣＳＩ算出に対して考慮され得、ＴＴＩ＃８は、第１のＣＳＩ算出に対して考慮され得る。
【０１８６】
本開示は、例示的な実施形態とともに説明されたが、様々な変形及び修正が可能であることは、当該技術分野における当業者には明らかである。本開示は、添付の特許請求の範囲内で上記のような変形及び修正を含む。
【符号の説明】
【０１８７】
１００  無線ネットワーク
１０１  ｅＮＢ
１０２  ｅＮＢ
１０３  ｅＮＢ
１１１  ＵＥ
１１２  ＵＥ
１１３  ＵＥ
１１４  ＵＥ
１１５  ＵＥ
１１６  ＵＥ
１２０  適用領域
１２５  適用領域
１３０  ネットワーク
２０５  アンテナ
２１０  ＲＦ送受信器
２１５  ＴＸ処理回路
２２０  マイクロフォン
２２５  ＲＸ処理回路
２３０  スピーカ
２４０  メインプロセッサ
２４５  Ｉ／Ｏインターフェース
２５０  キーパッド
２５５  ディスプレイ
２６０  メモリ
２６１  基本オペレーティングシステム（ＯＳ）プログラム
２６２  アプリケーション
３０５  多重アンテナ
３１０  多重ＲＦ送受信器
３１５  ＴＸ処理回路
３２０  ＲＸ処理回路
３２５  制御器／プロセッサ
３３０  メモリ
３３５  バックホール又はネットワークインターフェース
４００  ＰＵＳＣＨ送信構造
４１０  サブフレーム
４２０  スロット
４３０  シンボル
４４０  ＤＭＲＳ
４５０  ＲＢ
４６０  ＳＲＳ送信
５００  送信器
５０５  ＣＳＩシンボル
５１０  データシンボル
５２０  マルチプレクサ
５３０  マルチプレクサ
５４０  ＤＦＴユニット
５５０  ＲＥ
５５５  選択器
５６０  ＩＦＦＴユニット
５７０  フィルタ
５８０  電力増幅器（ＰＡ）
５９０  信号の送信
６００  受信器
６１０  受信された信号
６２０  フィルタ
６３０  ＦＦＴユニット
６４０  選択器ユニット
６５０  ＲＥ
６６０  ＩＤＦＴ
６７０  デマルチプレクサ
６８０  デマルチプレクサ
６９０  データシンボル
６９５  ＣＳＩシンボル
７００  送信器
７１０  ＺＣシーケンス
７２０  マッパー
７３０  ＲＥ選択ユニット
７４０  ＩＦＦＴユニット
７５０  ＣＳユニット
７６０  フィルタ
７７０  電力増幅器
７８０  送信
８１０  構成
９０２  ＵＬ ＢＷエッジ
９０４  ＵＬ ＢＷエッジ
９０６  ＲＢ
９０８  ＲＢ
９１２  ＲＢ
９１４  ＲＢ
９１６  ＲＢ
９１８  ＲＢ
９２６  ＲＢ
９２８  ＲＢ
９３２  ＲＢ
９３４  ＲＢ
９３６  ＲＢ
９３８  ＲＢ
１０１０  ＢＷ
１０１５  ＢＷ
１０２２  ＲＢ
１０２４  ＲＢ
１０２６  ＲＢ
１０２８  ＲＢ
１０３０  ＲＢ
１２１０  ＵＬ ＴＴＩ＃２
１２２０  ＵＬ ＴＴＩ＃３
１２３０  ＤＬ ＴＴＩ＃５
１３１０  参照セル＃１
１３２０  参照セル＃２
１３３０  参照セル＃３
１３４０  セル＃１
１３４２  セル＃１
１３４４  セル＃１
１３４６  セル＃１
１３５０  セル＃２
１３５２  セル＃２
１３５４  セル＃２
１３５６  セル＃２
１３６０  セルｌ＃３
１３６２  セル＃３
１３６４  セル＃３
１３６６  セル＃３
１６１０  ＴＤＤ ＵＬ−ＤＬ構成２
１６２０  ＴＴＩ＃０
１６２２  ＴＴＩ＃１
１６２４  ＴＴＩ＃５
１６２６  ＴＴＩ＃６
１６２８  ＴＴＩ＃９
１６３０  ＴＴＩ＃３
１６３２  ＴＴＩ＃４
１６３４  ＴＴＩ＃８
１６４０  臨界値    １６５０  ＴＴＩ＃０
１６５２  ＴＴＩ＃１
１６５４  ＴＴＩ＃５
１６５６  ＴＴＩ＃６
１６５８  ＴＴＩ＃９
１６６０  ＴＴＩ＃３
１６６４  ＴＴＩ＃８
【図１】
2019176478.tif 000027
【図２】
2019176478.tif 000028
【図３】
2019176478.tif 000029
【図４】
2019176478.tif 000030
【図５】
2019176478.tif 000031
【図６】
2019176478.tif 000032
【図７】
2019176478.tif 000033
【図８】
2019176478.tif 000034
【図９】
2019176478.tif 000035
【図１０】
2019176478.tif 000036
【図１１】
2019176478.tif 000037
【図１２】
2019176478.tif 000038
【図１３】
2019176478.tif 000039
【図１４】
2019176478.tif 000040
【図１５】
2019176478.tif 000041
【図１６】
2019176478.tif 000042
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
ユーザ装置(ＵＥ)が参照信号(ＲＳ；reference signal)を送信する方法であって、
送信時間間隔（ＴＴＩ）でダウンリンク制御情報（ＤＣＩ）フォーマットを検出するステップと、
前記ＤＣＩフォーマットにより示された前記ＴＴＩの少なくとも一つの時間リソースの通信方向がフレキシブルだと識別するステップと、
前記ＴＴＩの前記少なくとも一つの時間リソースで前記ＲＳを送信するステップと、を含み、
前記ＵＥが、前記ＴＴＩの前記通信方向を提供する前記ＤＣＩフォーマットを検出しない場合、前記ＵＥが前記ＴＴＩの前記少なくとも１つの時間リソースで前記ＲＳを送信しないことを特徴とする方法。
【請求項２】
前記ＲＳは、周期的サウンディング参照信号（Ｐ - ＳＲＳ）を含むことを特徴とする請求項１に記載の方法。
【請求項３】
基地局が参照信号(ＲＳ；reference signal)を受信する方法であって、
送信時間間隔（ＴＴＩ）で、前記ＴＴＩの少なくとも一つの時間リソースの通信方向がフレキシブルだと示すダウンリンク制御情報（ＤＣＩ）フォーマットを送信するステップと、
前記ＴＴＩの前記少なくとも一つの時間リソースで前記ＲＳを受信するステップと、を含み、
ユーザ装置(ＵＥ)が、前記ＴＴＩの前記通信方向を提供する前記ＤＣＩフォーマットを検出しない場合、前記ＵＥが前記ＴＴＩの前記少なくとも１つの時間リソースで前記ＲＳを受信しないことを特徴とする方法。
【請求項４】
前記ＲＳは、周期的サウンディング参照信号（Ｐ - ＳＲＳ）を含むことを特徴とする請求項３に記載の方法。
【請求項５】
ユーザ装置(ＵＥ)が参照信号(ＲＳ；reference signal)を受信する方法であって、
送信時間間隔（ＴＴＩ）でダウンリンク制御情報（ＤＣＩ）フォーマットを検出するステップと、
前記ＤＣＩフォーマットにより示された前記ＴＴＩの少なくとも一つの時間リソースの通信方向がフレキシブルだと識別するステップと、
前記ＴＴＩの前記少なくとも一つの時間リソースで前記ＲＳを受信するステップと、を含み、
前記ＵＥが、前記ＴＴＩの前記通信方向を提供する前記ＤＣＩフォーマットを検出しない場合、前記ＵＥが前記ＴＴＩの前記少なくとも１つの時間リソースで前記ＲＳを受信しないことを特徴とする方法。
【請求項６】
前記ＲＳは、チャンネル状態情報参照信号（ＣＳＩ-ＲＳ）を含むことを特徴とする請求項５に記載の方法。
【請求項７】
基地局が参照信号(ＲＳ；reference signal)を送信する方法であって、
送信時間間隔（ＴＴＩ）で、前記ＴＴＩの少なくとも一つの時間リソースの通信方向がフレキシブルだと示すダウンリンク制御情報（ＤＣＩ）フォーマットを受信するステップと、
前記ＴＴＩの前記少なくとも一つの時間リソースで前記ＲＳを送信するステップと、を含み、
ユーザ装置(ＵＥ)が、前記ＴＴＩの前記通信方向を提供する前記ＤＣＩフォーマットを検出しない場合、前記ＵＥが前記ＴＴＩの前記少なくとも１つの時間リソースで前記ＲＳを送信しないことを特徴とする方法。
【請求項８】
前記ＲＳは、チャンネル状態情報参照信号（ＣＳＩ-ＲＳ）を含むことを特徴とする請求項７に記載の方法。
【請求項９】
ユーザ装置(ＵＥ)であって、
送受信器と、
前記送受信器を制御するプロセッサと、を含み、
前記プロセッサは、
送信時間間隔（ＴＴＩ）でダウンリンク制御情報（ＤＣＩ）フォーマットを検出し、
前記ＤＣＩフォーマットにより示された前記ＴＴＩの少なくとも一つの時間リソースの通信方向がフレキシブルだと識別し、
前記ＴＴＩの前記少なくとも一つの時間リソースで参照信号(ＲＳ；reference signal)を送信し、
前記ＵＥが、前記ＴＴＩの前記通信方向を提供する前記ＤＣＩフォーマットを検出しない場合、前記ＵＥが前記ＴＴＩの前記少なくとも１つの時間リソースで前記ＲＳを送信しないすることを特徴とするＵＥ。
【請求項１０】
前記ＲＳは、周期的サウンディング参照信号（Ｐ - ＳＲＳ）を含むことを特徴とする請求項９に記載のＵＥ。
【請求項１１】
基地局であって、
送受信器と、
前記送受信器を制御するプロセッサと、を含み、
前記プロセッサは、
送信時間間隔（ＴＴＩ）で、前記ＴＴＩの少なくとも一つの時間リソースの通信方向がフレキシブルだと示すダウンリンク制御情報（ＤＣＩ）フォーマットを送信し、
前記ＴＴＩの前記少なくとも一つの時間リソースで参照信号(ＲＳ；reference signal)を受信し、
ユーザ装置(ＵＥ)が、前記ＴＴＩの前記通信方向を提供する前記ＤＣＩフォーマットを検出しない場合、前記ＵＥが前記ＴＴＩの前記少なくとも１つの時間リソースで前記ＲＳを受信しないことを特徴とする基地局。
【請求項１２】
前記ＲＳは、周期的サウンディング参照信号（Ｐ - ＳＲＳ）を含むことを特徴とする請求項１１に記載の基地局。
【請求項１３】
ユーザ装置(ＵＥ)であって、
送受信器と、
前記送受信器を制御するプロセッサと、を含み、
前記プロセッサは、
送信時間間隔（ＴＴＩ）でダウンリンク制御情報（ＤＣＩ）フォーマットを検出し、
前記ＤＣＩフォーマットにより示された前記ＴＴＩの少なくとも一つの時間リソースの通信方向がフレキシブルだと識別し、
前記ＴＴＩの前記少なくとも一つの時間リソースで参照信号(ＲＳ；reference signal)を受信し、
前記ＵＥが、前記ＴＴＩの前記通信方向を提供する前記ＤＣＩフォーマットを検出しない場合、前記ＵＥが前記ＴＴＩの前記少なくとも１つの時間リソースで前記ＲＳを受信しないことを特徴とするＵＥ。
【請求項１４】
前記ＲＳは、チャンネル状態情報参照信号（ＣＳＩ-ＲＳ）を含むことを特徴とする請求項１３に記載のＵＥ。
【請求項１５】
基地局であって、
送受信器と、
前記送受信器を制御するプロセッサと、を含み、
前記プロセッサは、
送信時間間隔（ＴＴＩ）で、前記ＴＴＩの少なくとも一つの時間リソースの通信方向がフレキシブルだと示すダウンリンク制御情報（ＤＣＩ）フォーマットを受信し、
前記ＴＴＩの前記少なくとも一つの時間リソースで参照信号(ＲＳ；reference signal)を送信し、
ユーザ装置(ＵＥ)が、前記ＴＴＩの前記通信方向を提供する前記ＤＣＩフォーマットを検出しない場合、前記ＵＥが前記ＴＴＩの前記少なくとも１つの時間リソースで前記ＲＳを送信しないことを特徴とする基地局。
【請求項１６】
前記ＲＳは、チャンネル状態情報参照信号（ＣＳＩ-ＲＳ）を含むことを特徴とする請求項１５に記載の基地局。